(57)【特許請求の範囲】
【請求項１】
ＬＥＤ用リードフレーム領域が複数配列された多列型ＬＥＤ用リードフレームであって、
個々のリードフレーム領域は、
金属板から、連結部を備えることなく、夫々分離した、略同じ平面形状及び略同じ平面視面積を有する矩形の平板形状に形成された１対のパッド部及びリード部と、
金属板の上面におけるパッド部及びリード部に対応する所定位置に形成された反射用めっき層と、
前記パッド部と前記リード部との間に介在するとともに、該パッド部及び該リード部の外周を該パッド部のＬＥＤ素子搭載面に搭載するＬＥＤ素子よりも上方に突出するように囲み、該パッド部及び該リード部を固定するリフレクタ樹脂部と、
を有し、
前記金属板の下面側は、前記リフレクタ樹脂部と該金属板の面のみが露出し、
前記金属板の下面側に露出する該金属板の面が、前記リフレクタ樹脂部における最も下側の部位よりも該金属板の上面側に位置するように形成されたエッチング加工面からなることを特徴とする多列型ＬＥＤ用リードフレーム。
【請求項２】
前記パッド部と前記リード部の夫々の側面は、粗化処理が施されていることを特徴とする請求項１に記載の多列型ＬＥＤ用リードフレーム。
【請求項３】
個々のリードフレーム領域が、金属板から、連結部を備えることなく、夫々分離した、略同じ平面形状及び略同じ平面視面積を有する矩形の平板形状に形成された１対のパッド部及びリード部と、金属板の上面におけるパッド部及びリード部に対応する所定位置に形成された反射用めっき層と、前記パッド部と前記リード部との間に介在するとともに、該パッド部及び該リード部の外周を該パッド部のＬＥＤ素子搭載面に搭載するＬＥＤ素子よりも上方に突出するように囲み、該パッド部及び該リード部を固定するリフレクタ樹脂部と、を有し、前記金属板の下面側は、前記リフレクタ樹脂部と該金属板の面のみが露出し、前記金属板の下面側に露出する該金属板の面が、前記リフレクタ樹脂部における最も下側の部位よりも該金属板の上面側に位置するように形成されたエッチング加工面からなる多列型ＬＥＤ用リードフレームを準備する工程と、
前記金属板の上面側において前記パッド部の面にＬＥＤ素子を搭載する工程と、
前記金属板の上面側において前記リード部と前記ＬＥＤ素子とをワイヤボンディングするとともに、該金属板の上面側において前記パッド部及び前記リード部における前記リフレクタ樹脂部で囲まれ、前記ＬＥＤ素子が搭載された内部空間を充填する透明樹脂部を設ける工程と、
前記金属板の下面側において、該金属板の露出面に外装めっきを施す工程と、
前記リフレクタ樹脂部における前記パッド部及び前記リード部の外周を囲む部位を切断する工程と、
を有することを特徴とするＬＥＤパッケージの製造方法。
【請求項４】
前記多列型ＬＥＤ用リードフレームを準備する工程において、準備する前記多列型ＬＥＤ用リードフレームは、前記パッド部と前記リード部の夫々の側面に粗化処理が施されていることを特徴とする請求項３に記載のＬＥＤパッケージの製造方法。
【請求項５】
ＬＥＤ用リードフレーム領域が複数配列された多列型ＬＥＤ用リードフレームの製造方法であって、
金属板の上面におけるパッド部及びリード部に対応する所定位置に反射用めっき層を形成する工程と、
前記金属板の上面側に、個々のリードフレーム領域を、形成した前記反射用めっき層を覆い、夫々分離した、略同じ平面形状及び略同じ平面視面積を有する矩形の平板形状の１対の前記パッド部と前記リード部とに区画しうるエッチング用のレジストマスクを形成するとともに、該金属板の下面に、全面を覆うエッチング用のレジストマスクを形成する工程と、
前記金属板の上面側からハーフエッチングを施し、該金属板におけるハーフエッチングを施した深さにおいて前記パッド部と前記リード部とに区画する凹部を形成する工程と、
前記金属板に形成した前記エッチング用のレジストマスクを除去する工程と、
前記金属板における前記ハーフエッチングにより形成された前記凹部にリフレクタ樹脂を充填し、前記金属板の上面側で区画された当該リードフレーム領域内の前記パッド部及び前記リード部との間に介在するとともに、該パッド部及び該リード部の外周を該パッド部のＬＥＤ素子搭載面に搭載するＬＥＤ素子よりも上方に突出するように囲むリフレクタ樹脂部を形成する工程と、
前記金属板の下面側から、前記リフレクタ樹脂部が露出し、前記金属板の下面側に露出する該金属板の面が、前記リフレクタ樹脂部における最も下側の部位よりも該金属板の上面側に位置するように該金属板を加工する工程と、
を有することを特徴とする多列型ＬＥＤ用リードフレームの製造方法。
【請求項６】
前記リフレクタ樹脂部が露出するように該金属板を加工する工程は、
前記金属板の上面側に、前記反射用めっき層の露出部位のエッチング液との接触を防止するための保護部材を設ける工程と、
前記金属板の下面側からエッチングを施し、前記リフレクタ樹脂部を露出させて、該金属板の面が、前記リフレクタ樹脂部における最も下側の部位よりも該金属板の上面側に位置するように形成する工程と、
を有することを特徴とする請求項５に記載の多列型ＬＥＤ用リードフレームの製造方法。
【請求項７】
前記金属板の下面側からエッチングを施し、前記リフレクタ樹脂部を露出させる工程の後に、前記金属板の下面側を研磨し、露出している前記リフレクタ樹脂部が該金属板とともに面一になるように形成する工程を有することを特徴とする請求項６に記載の多列型ＬＥＤ用リードフレームの製造方法。
【請求項８】
前記保護部材を設ける工程が、前記リフレクタ樹脂部の上面側をマスキングテープで覆い、該リフレクタ樹脂部で囲まれた内部空間を密封する工程であり、さらに、
前記金属板の下面側からエッチングを施し、前記リフレクタ樹脂部を露出させる工程の後に前記マスキングテープを除去する工程を有する
ことを特徴とする請求項６に記載の多列型ＬＥＤ用リードフレームの製造方法。
【請求項９】
前記保護部材を設ける工程が、前記リフレクタ樹脂部の上面側をマスキングテープで覆い、該リフレクタ樹脂部で囲まれた内部空間を密封する工程であり、さらに、
前記金属板の下面側を研磨し、露出している前記リフレクタ樹脂部が該金属板とともに面一になるように形成する工程の後に前記マスキングテープを除去する工程を有する
ことを特徴とする請求項７に記載の多列型ＬＥＤ用リードフレームの製造方法。
【請求項１０】
前記保護部材を設ける工程が、前記反射用めっき層の露出部位に耐エッチング性を有する保護膜を形成する工程であることを特徴とする請求項６又は７に記載の多列型ＬＥＤ用リードフレームの製造方法。
【請求項１１】
前記リフレクタ樹脂部が露出するように該金属板を加工する工程は、
前記金属板の下面側からエッチングを施し、前記リフレクタ樹脂部を露出させて、該金属板の面が、前記リフレクタ樹脂部における最も下側の部位よりも該金属板の上面側に位置するように形成する工程からなることを特徴とする請求項５に記載の多列型ＬＥＤ用リードフレームの製造方法。
【請求項１２】
前記金属板の上面側からの前記ハーフエッチングにより、形成される前記凹部の面を粗化処理することを特徴とする請求項５〜１１のいずれかに記載の多列型ＬＥＤ用リードフレームの製造方法。
【発明の詳細な説明】
【技術分野】
【０００１】
本発明は、多列型ＬＥＤ用リードフレーム、並びにＬＥＤパッケージ及び多列型ＬＥＤ用リードフレームの製造方法に関する。
【背景技術】
【０００２】
ＬＥＤ（Light Emitting Diode、発光ダイオード）素子を搭載した光半導体装置は、一般照明やテレビ・携帯電話・ＯＡ機器等のディスプレイ等、様々な機器で使用されるようになってきた。
これらの光半導体装置において、薄型化や量産化等の要請に応えるべく開発されてきたＬＥＤパッケージとして、従来、電気的に絶縁されたパッド部とリード部を有するリードフレームにＬＥＤ素子が搭載され、ＬＥＤ素子が搭載された側のパッド部とリード部を囲うようにリフレクタ樹脂部が形成され、リフレクタ樹脂部に囲まれＬＥＤ素子が搭載された側の内部空間が透明樹脂部によって封止されたＬＥＤパッケージがある。
【０００３】
この種のＬＥＤパッケージでは、例えば、図８(a)に示すように、リードフレーム１０は、パッド部１１と、パッド部１１と間隔をおいて配置されたリード部１２を有し、パッド部１１とリード部１２の上面や下面には、反射用や外部接続用のめっき層１３を形成した構成となっている。また、リードフレーム１０の上面側には、パッド部１１上にＬＥＤ素子２０が搭載され、ＬＥＤ素子２０とリード部１２とがボンディングワイヤ１４等を介して接続されている。また、ＬＥＤ素子２０の周囲には、光を反射するリフレクタ樹脂部１５が、パッド部１１とリード部１２を囲むように形成されている。そして、リフレクタ樹脂部１５に囲まれ、ＬＥＤ素子２０が搭載された側の内部空間は、透明な樹脂からなる透明樹脂部１６で封止されている。
【０００４】
また、この種のＬＥＤパッケージの製造に使用されるリードフレームは、図９(a)〜図９(c)に示すように、多数のＬＥＤパッケージを一度に得るために、パッド部１１とリード部１２との組合せからなる個々のリードフレーム領域（図９(b)において夫々一点鎖線の矩形で示してある。）がマトリックス状に配列された多列型リードフレームとして形成されている。パッド部１１、リード部１２は、図９(b)に示すように、それぞれが、リードフレームの基材をなす金属板から形成された連結部１７（図９(b)において斜線のハッチングをつけて示してある。）に接続されており、連結部１７を介して、他のリードフレーム領域におけるパッド部１１又はリード部１２や、多列型リードフレーム製造用の上記金属板における外枠部１８と連結されている。
【０００５】
そして、この種のＬＥＤパッケージの製造では、図８(b)に示すように、多列型リードフレームにおける各リードフレーム領域に夫々対応する各リフレクタ樹脂部１５を、連結部１７を覆うようにして一括形成し、夫々のリフレクタ樹脂部１５に囲まれたパッド部１１に、ＬＥＤ素子２０を搭載・固定、ワイヤボンディング等を行い、その内部空間に透明樹脂部１６を形成後、一括形成したリフレクタ樹脂部１５の一部と連結部１７の一部を、各リードフレーム領域の間の切断部に沿って同時に切断する。
【０００６】
この切断加工により、図８(a)に示すように、ＬＥＤパッケージの下面側にパッド部１１とリード部１２の下面が露出し、外部基板との電気的接続が可能な個々のＬＥＤパッケージが得られる。個々のＬＥＤパッケージの側面には、リードフレームの連結部１７がリフレクタ樹脂部１５とともに切断面の一部として露出している。
このような構成を備えた従来のＬＥＤパッケージは、例えば次の特許文献１、２に記載されている。
【先行技術文献】
【特許文献】
【０００７】
【特許文献１】特開２０１３−２３２５０６号公報
【特許文献２】特開２０１３−２３２５０８号公報
【発明の概要】
【発明が解決しようとする課題】
【０００８】
上述のように、ＬＥＤパッケージの製造においては、一度に多数のＬＥＤパッケージを得るために、図９(b)に示したような、個々のリードフレーム領域におけるパッド部１１やリード部１２を、他のリードフレーム領域におけるパッド部１１又はリード部１２や、多列型リードフレーム製造用の金属板における外枠部１８と連結させるための連結部１７を介して繋げた多列型リードフレームが用いられる。
【０００９】
ところで、上述の多列型リードフレームを用いて製造されるＬＥＤパッケージは、一般的にリードフレームの裏面側に外部接続用の端子面が露出する表面実装型のパッケージである。表面実装型のＬＥＤパッケージにおいては、裏面側に露出する外部接続用の端子面の平坦性が要求され、パッド部やリード部の段差、変形や反り等も不具合につながるため厳しい制約がある。
【００１０】
しかるに、個々のリードフレーム領域におけるパッド部やリード部と、他のリードフレーム領域におけるパッド部又はリード部や、多列型リードフレーム製造用の金属板における外枠部とを、夫々連結部を介して繋げた構成にすると、連結部の強度や、連結部に接続されるパッド部及びリード部の形状、接続位置によっては、連結部に変形が生じてパッド部やリード部に段差、変形、反り等が生じ易くなり、裏面側に露出する外部接続用の端子面の平坦性が損なわれて、外部機器との接続に悪影響を与える虞がある。
リードフレーム全体の反り及び変形を抑制するためには、連結部にはある程度の強度を持たせることが要求され、そのためには、連結部の幅や厚さを大きくする必要がある。しかも、連結部に変形が生じ難いように、パッド部及びリード部の形状、連結部との接続位置を工夫する必要があり、パッド部やリード部の設計の自由度も制限される。
【００１１】
しかし、連結部はリードフレームの基材をなす金属で構成されており、連結部の幅や厚さを大きくすると、個々のＬＥＤパッケージに切断加工するためにリフレクタ樹脂部とともに連結部を切断する際のブレードに目詰りが生じ、ドレス作業によるブレードの再生作業が必要となり、ブレードの連続生産性を低下させる。しかも、連結部は各リードフレーム領域における複数個所に接続するように多数設けられており、多列型リードフレームを用いて製造した、ＬＥＤパッケージ領域が複数配列されている多列型ＬＥＤパッケージを個々のＬＥＤパッケージにするためには、ブレードで非常に多くの連結部を切断する必要があるため、カッターの製品寿命に著しい悪影響を与える。
【００１２】
また、上述のように、連結部を構成する金属は、反りや変形対策となる厚さや幅を必要とするため、個々のリードフレーム領域におけるパッド部やリード部と、他のリードフレーム領域におけるパッド部又はリード部や、多列型リードフレーム製造用の金属板における外枠部とを連結する連結部の長さを、縮めることができない。
その結果、連結部が多列型リードフレームに占める専有面積は無視できない大きさになる。しかも、上述のように、連結部に変形が生じ難いように、パッド部及びリード部の形状、連結部との接続位置を工夫する必要がある。
このため、多列型リードフレーム形成エリア内において形成しうる個々のリードフレームの数が制限されて、多列型ＬＥＤパッケージ製造時におけるＬＥＤパッケージ領域の集積化を阻害する。
【００１３】
他方、連結部の幅や厚さを小さくして、連結部がブレードに与える悪影響を弱めることで、ブレードの幅を薄くし、ブレードによる切断幅を薄くすることにより、個々のリードフレーム領域におけるパッド部やリード部と、他のリードフレーム領域におけるパッド部又はリード部や、多列型リードフレーム製造用の金属板における外枠部とを連結する連結部の長さを短くして、組立部位として構成されるパット部、リード部及び個々のリードフレーム領域の連結部エリアを縮小して、多列型ＬＥＤパッケージ製造時におけるＬＥＤパッケージ領域の集積化を図ろうとすると、上述のように、個々のリードフレームを連結する連結部の強度が弱くなり、連結部を介して連結されるパッド部やリード部の変形や反りなどが多く発生し、ＬＥＤパッケージの組立歩留りを低下させる問題が生じる。このため、特許文献１、２に記載のＬＥＤパッケージのような連結部を有する多列型リードフレームを用いた従来のＬＥＤパッケージでは、ブレードによる切断幅を、０．３〜０．５ｍｍ程度は設けざるを得ず、パッケージ領域の集積化が制限されていた。
【００１４】
また、一般的に、連結部を有する多列型リードフレームにおいては、ＬＥＤパッケージの組立工程における、連結部の変形や反りなどを原因とするＬＥＤパッケージの組立歩留りの低下を抑制するために、多列型リードフレームの裏側に露出する面全体に連結部を介して連結されるパッド部やリード部の変形や反りを防止する手段として、樹脂製テープが貼り付けられる。この樹脂製テープは、外部接続用端子表面へのモールド樹脂（リフレクタ樹脂）の回り込みを防止する役目も果たす。
【００１５】
しかし、この樹脂製テープは、搭載したＬＥＤ素子をパッド部に固定するダイボンディング、ＬＥＤ素子とリード部とを電気的に接続するワイヤボンディング、リフレクタ樹脂部や透明樹脂部を形成するためのモールド樹脂充填など、種々の過熱条件下での使用に耐えることができるように、高価な耐熱性ポリイミドフィルムと耐熱性シリコン接着剤で構成されている。このため、ＬＥＤパッケージの製造に際し、多列型リードフレームの裏面に樹脂製のテープを貼り付けると、コスト高となってしまう。
【００１６】
更には、この樹脂製テープには、最終のモールド樹脂充填後に引き剥がして廃棄する際、樹脂製テープの接着剤層が外部接続用の端子面やモールド樹脂側に残存するという問題がある。また、樹脂製テープに耐熱性の材料を用いても、種々の加熱条件下では、耐熱性の限界を超えて、樹脂製テープに熱収縮が生じ、樹脂製テープの熱収縮に伴いパッド部やリード部の位置が変動して個々のＬＥＤパッケージの寸法精度にバラツキが生じてしまうという問題もあった。
【００１７】
また、個々のリードフレーム領域が夫々連結部を介して繋げられた多列型リードフレームを用いて製造される個々のＬＥＤパッケージでは、上述のように、リードフレームの連結部がリフレクタ樹脂部とともに切断面の一部として露出し、ＬＥＤパッケージから露出したリードフレームの連結部の切断面からメッキを被覆されていないリードフレームの基材をなす金属が露出することになる。このため、切断面に金属バリが生じた場合には接触不良につながる虞があり、また、完成後のＬＥＤパッケージを外部機器に接続して使用中に、連結部の切断面から水分が浸入し、リードフレームの基材をなす金属が腐食してＬＥＤパッケージ製品の品質を劣化させる等の不具合を生じる虞があった。
【００１８】
また、特許文献２に記載のＬＥＤパッケージの製造に用いる多列型リードフレームは、図９(b)に示した各リードフレーム領域を連結する連結部に加えて、さらなる連結部として、当該リードフレーム領域のパッド部と、当該リードフレーム領域に隣接する他のリードフレーム領域のリード部とを連結する傾斜補強片を設け、リードフレームの反りを防止している。しかし、隣接するリードフレーム領域同士を連結する連結部を増やすと、多列型ＬＥＤパッケージを製造後、個々のＬＥＤパッケージに切断したときに、リフレクタ樹脂部とともに切断面の一部として露出するリードフレームの連結部の数が増えるため、金属の露出面積が増加し、連結部の切断面からの水分の浸入の増加等によるＬＥＤパッケージ製品の品質の一層の劣化を招きかねない。しかも、ブレードで切断する連結部の数が増加するため、生産性やブレードの寿命等により著しい悪影響を与えることになる。
【００１９】
しかるに、本件発明者は、試行錯誤を重ねた末に、本発明を導出する以前に、製品化された個々のＬＥＤパッケージの切断面での金属バリの発生による接触不良の虞や切断面からの水分の浸入の虞がなく、製造に際しては、個々に配置されるＬＥＤパッケージの集積化を促進し、パッド部やリード部の段差、変形や反り等を阻止して、裏面側に露出する外部接続用の端子面の平坦性を良好に保って生産性を向上させることができ、また、高価な樹脂テープの貼り付けが不要でコストを低減でき、さらには、個々のＬＥＤパッケージを得るために切断するブレードの連続生産性と寿命を延ばすことの可能なＬＥＤパッケージ及び多列型ＬＥＤ用リードフレーム、並びにその製造方法の発明を着想した。
そして、本件発明者が、更に検討・考察を重ねたところ、着想した前段階の発明のＬＥＤパッケージ及び多列型ＬＥＤ用リードフレーム、並びにその製造方法には、ＬＥＤ素子搭載部を充填する透明樹脂部のエッチング用薬液との接触による影響、ＬＥＤ素子搭載部へのエッチング用薬液の浸入、樹脂形成工程の回数等の改良すべき課題があることが判明した。
【００２０】
本発明は、このような問題に鑑みてなされたものであり、製品化された個々のＬＥＤパッケージの切断面での金属バリの発生による接触不良の虞や切断面からの水分の浸入の虞がなく、製造に際しては、個々に配置されるＬＥＤパッケージの集積化を促進し、パッド部やリード部の段差、変形や反り等を阻止して、裏面側に露出する外部接続用の端子面の平坦性を良好に保って生産性を向上させることができ、また、高価な樹脂テープの貼り付けが不要でコストを低減でき、さらには、個々のＬＥＤパッケージを得るために切断するブレードの連続生産性と寿命を延ばすことができ、しかも、ＬＥＤ素子搭載部を充填する透明樹脂部がエッチング用薬液の影響を受けず、ＬＥＤ素子搭載部へエッチング用薬液の浸入の虞がなく、樹脂形成工程の回数を低減可能な、並びにＬＥＤパッケージ及び多列型ＬＥＤ用リードフレームの製造方法を提供することを目的としている。
【課題を解決するための手段】
【００２１】
上記の目的を達成するために、本発明による多列型ＬＥＤ用リードフレームは、ＬＥＤ用リードフレーム領域が複数配列された多列型ＬＥＤ用リードフレームであって、個々のリードフレーム領域は、金属板から、連結部を備えることなく、夫々分離した、略同じ平面形状及び略同じ平面視面積を有する矩形の平板形状に形成された１対のパッド部及びリード部と、金属板の上面におけるパッド部及びリード部に対応する所定位置に形成された反射用めっき層と、前記パッド部と前記リード部との間に介在するとともに、該パッド部及び該リード部の外周を該パッド部のＬＥＤ素子搭載面に搭載するＬＥＤ素子よりも上方に突出するように囲み、該パッド部及び該リード部を固定するリフレクタ樹脂部と、を有し、前記金属板の下面側は、前記リフレクタ樹脂部と該金属板の面のみが露出し、前記金属板の下面側に露出する該金属板の面が、前記リフレクタ樹脂部における最も下側の部位よりも該金属板の上面側に位置するように形成されたエッチング加工面からなることを特徴としている。
【００２４】
また、本発明の多列型ＬＥＤ用リードフレームにおいては、前記パッド部と前記リード部の夫々の側面は、粗化処理が施されているのが好ましい。
【００２５】
また、本発明によるＬＥＤパッケージの製造方法は、個々のリードフレーム領域が、金属板から、連結部を備えることなく、夫々分離した、略同じ平面形状及び略同じ平面視面積を有する矩形の平板形状に形成された１対のパッド部及びリード部と、金属板の上面におけるパッド部及びリード部に対応する所定位置に形成された反射用めっき層と、前記パッド部と前記リード部との間に介在するとともに、該パッド部及び該リード部の外周を該パッド部のＬＥＤ素子搭載面に搭載するＬＥＤ素子よりも上方に突出するように囲み、該パッド部及び該リード部を固定するリフレクタ樹脂部と、を有し、前記金属板の下面側は、前記リフレクタ樹脂部と該金属板の面のみが露出し、前記金属板の下面側に露出する該金属板の面が、前記リフレクタ樹脂部における最も下側の部位よりも該金属板の上面側に位置するように形成されたエッチング加工面からなる多列型ＬＥＤ用リードフレームを準備する工程と、前記金属板の上面側において前記パッド部の面にＬＥＤ素子を搭載する工程と、前記金属板の上面側において前記リード部と前記ＬＥＤ素子とをワイヤボンディングするとともに、該金属板の上面側において前記パッド部及び前記リード部における前記リフレクタ樹脂部で囲まれ、前記ＬＥＤ素子が搭載された内部空間を充填する透明樹脂部を設ける工程と、前記金属板の下面側において、該金属板の露出面に外装めっきを施す工程と、前記リフレクタ樹脂部における前記パッド部及び前記リード部の外周を囲む部位を切断する工程と、を有することを特徴としている。
【００２８】
また、本発明のＬＥＤパッケージの製造方法においては、前記多列型ＬＥＤ用リードフレームを準備する工程において、準備する前記多列型ＬＥＤ用リードフレームは、前記パッド部と前記リード部の夫々の側面に粗化処理が施されているのが好ましい。
【００２９】
また、本発明による多列型ＬＥＤ用リードフレームの製造方法は、ＬＥＤ用リードフレーム領域が複数配列された多列型ＬＥＤ用リードフレームの製造方法であって、金属板の上面におけるパッド部及びリード部に対応する所定位置に反射用めっき層を形成する工程と、前記金属板の上面側に、個々のリードフレーム領域を、形成した前記反射用めっき層を覆い、夫々分離した、略同じ平面形状及び略同じ平面視面積を有する矩形の平板形状の１対の前記パッド部と前記リード部とに区画しうるエッチング用のレジストマスクを形成するとともに、該金属板の下面に、全面を覆うエッチング用のレジストマスクを形成する工程と、前記金属板の上面側からハーフエッチングを施し、該金属板におけるハーフエッチングを施した深さにおいて前記パッド部と前記リード部とに区画する凹部を形成する工程と、前記金属板に形成した前記エッチング用のレジストマスクを除去する工程と、前記金属板における前記ハーフエッチングにより形成された前記凹部にリフレクタ樹脂を充填し、前記金属板の上面側で区画された当該リードフレーム領域内の前記パッド部及び前記リード部との間に介在するとともに、該パッド部及び該リード部の外周を該パッド部のＬＥＤ素子搭載面に搭載するＬＥＤ素子よりも上方に突出するように囲むリフレクタ樹脂部を形成する工程と、前記金属板の下面側から、前記リフレクタ樹脂部が露出し、前記金属板の下面側に露出する該金属板の面が、前記リフレクタ樹脂部における最も下側の部位よりも該金属板の上面側に位置するように該金属板を加工する工程と、を有することを特徴としている。
【００３０】
また、本発明の多列型ＬＥＤ用リードフレームの製造方法においては、前記リフレクタ樹脂部が露出するように該金属板を加工する工程は、前記金属板の上面側に、前記反射用めっき層の露出部位のエッチング液との接触を防止するための保護部材を設ける工程と、前記金属板の下面側からエッチングを施し、前記リフレクタ樹脂部を露出させて、該金属板の面が、前記リフレクタ樹脂部における最も下側の部位よりも該金属板の上面側に位置するように形成する工程と、を有するのが好ましい。
【００３１】
また、本発明の多列型ＬＥＤ用リードフレームの製造方法においては、前記金属板の下面側からエッチングを施し、前記リフレクタ樹脂部を露出させる工程の後に、前記金属板の下面側を研磨し、露出している前記リフレクタ樹脂部が該金属板とともに面一になるように形成する工程を有するのが好ましい。
【００３２】
また、本発明の多列型ＬＥＤ用リードフレームの製造方法においては、前記保護部材を設ける工程が、前記リフレクタ樹脂部の上面側をマスキングテープで覆い、該リフレクタ樹脂部で囲まれた内部空間を密封する工程であり、さらに、前記金属板の下面側からエッチングを施し、前記リフレクタ樹脂部を露出させる工程の後に前記マスキングテープを除去する工程を有するのが好ましい。
【００３３】
また、本発明の多列型ＬＥＤ用リードフレームの製造方法においては、前記保護部材を設ける工程が、前記リフレクタ樹脂部の上面側をマスキングテープで覆い、該リフレクタ樹脂部で囲まれた内部空間を密封する工程であり、さらに、前記金属板の下面側を研磨し、露出している前記リフレクタ樹脂部が該金属板とともに面一になるように形成する工程の後に前記マスキングテープを除去する工程を有するのが好ましい。
【００３４】
また、本発明の多列型ＬＥＤ用リードフレームの製造方法においては、前記保護部材を設ける工程が、前記反射用めっき層の露出部位に耐エッチング性を有する保護膜を形成する工程であるのが好ましい。
【００３５】
また、本発明の多列型ＬＥＤ用リードフレームの製造方法においては、前記リフレクタ樹脂部が露出するように該金属板を加工する工程は、前記金属板の下面側からエッチングを施し、前記リフレクタ樹脂部を露出させて、該金属板の面が、前記リフレクタ樹脂部における最も下側の部位よりも該金属板の上面側に位置するように形成する工程からなるのが好ましい。
【００３６】
また、本発明の多列型ＬＥＤ用リードフレームの製造方法においては、前記金属板の上面側からの前記ハーフエッチングにより、形成される前記凹部の面を粗化処理するのが好ましい。
【発明の効果】
【００３７】
本発明によれば、製品化された個々のＬＥＤパッケージの切断面での金属バリの発生による接触不良の虞や切断面からの水分の浸入の虞がなく、製造に際しては、個々に配置されるＬＥＤパッケージの集積化を促進し、パッド部やリード部の段差、変形や反り等を阻止して、裏面側に露出する外部接続用の端子面の平坦性を良好に保って生産性を向上させることができ、また、高価な樹脂テープの貼り付けが不要でコストを低減でき、さらには、個々のＬＥＤパッケージを得るために切断するブレードの連続生産性と寿命を延ばすことができ、しかも、ＬＥＤ素子搭載部を充填する透明樹脂部がエッチング用薬液の影響を受けず、ＬＥＤ素子搭載部へエッチング用薬液の浸入の虞がなく、樹脂形成工程の回数を低減可能な多列型ＬＥＤ用リードフレーム、並びにＬＥＤパッケージ及び多列型ＬＥＤ用リードフレームの製造方法が得られる。
【図面の簡単な説明】
【００３８】
【図１】本発明の一実施形態にかかるＬＥＤパッケージの製造方法により製造されるＬＥＤパッケージの概略構成を示す図で、(a)は切断されて一個の製品となった状態のＬＥＤパッケージの断面図、(b)は切断される前の一括製造された多列型ＬＥＤパッケージにおける切断部を示す部分断面図、(c)は(a)の変形例にかかるＬＥＤパッケージの断面図である。
【図２】図１に示すＬＥＤパッケージの製造に用いる多列型ＬＥＤ用リードフレームの概略構成を示す図で、(a)は個々のリードフレーム領域におけるパッド部とリード部の配置を上面側からみた部分平面図、(b)は(a)のＢ−Ｂ断面図、(c)は図１(a)に示すＬＥＤパッケージに用いる多列型ＬＥＤ用リードフレームの個々のリードフレーム領域における構成を示す断面図、(d)は図１(c)に示す変形例にかかるＬＥＤパッケージに用いる多列型ＬＥＤ用リードフレームの個々のリードフレーム領域における構成を示す断面図、(e)は本実施形態の比較例にかかる図１０の構成を備えた多列型ＬＥＤ用リードフレームの個々のリードフレーム領域における構成を示す断面図である。
【図３】図２(c)に示す多列型ＬＥＤ用リードフレームの製造工程を示す説明図である。ある。
【図４】図２(d)に示す多列型ＬＥＤ用リードフレームの製造工程の一例を示す説明図である。
【図５】図２(d)に示す多列型ＬＥＤ用リードフレームの製造工程の他の例を示す説明図である。
【図６】図３に示す工程を経て製造された多列型ＬＥＤ用リードフレームを用いたＬＥＤパッケージの製造工程の一例を示す説明図である。
【図７】図４又は図５に示す工程を経て製造された多列型ＬＥＤ用リードフレームを用いたＬＥＤパッケージの製造工程の一例を示す説明図である。
【図８】従来のＬＥＤパッケージの概略構成を示す図で、(a)は切断されて一個の製品となった状態のＬＥＤパッケージの断面図、(b)は切断される前の一括製造された多列型ＬＥＤパッケージにおける切断部を示す部分断面図である。
【図９】従来のＬＥＤパッケージの製造に用いる多列型ＬＥＤ用リードフレームの概略構成を示す図で、(a)は多列型ＬＥＤ用リードフレームにおける個々のリードフレームの配置を概念的に示す平面図、(b)は図８に示すタイプのＬＥＤパッケージの製造に用いる多列型ＬＥＤ用リードフレームの個々のリードフレーム領域におけるパッド部とリード部の配置を上面側からみた部分拡大平面図、(c)は(b)のＡ−Ａ断面図である。
【図１０】本発明を導出する以前に着想した発明にかかる多列型ＬＥＤ用リードフレームを用いたＬＥＤパッケージの製造工程の一例を示す説明図である。
【発明を実施するための形態】
【００３９】
実施形態の説明に先立ち、本発明を導出するに至った経緯及び本発明の作用効果について説明する。
上述のように、本件発明者は、試行錯誤を重ねた末に、本発明を導出する以前に、製品化された個々のＬＥＤパッケージの切断面での金属バリの発生による接触不良の虞や切断面からの水分の浸入の虞がなく、製造に際しては、個々に配置されるＬＥＤパッケージの集積化を促進し、パッド部やリード部の段差、変形や反り等を阻止して、裏面側に露出する外部接続用の端子面の平坦性を良好に保って生産性を向上させることができ、また、高価な樹脂テープの貼り付けが不要でコストを低減でき、さらには、個々のＬＥＤパッケージを得るために切断するブレードの連続生産性と寿命を延ばすことの可能なＬＥＤパッケージ及び多列型ＬＥＤ用リードフレーム、並びにその製造方法の発明として、図１０に示すＬＥＤパッケージ及び多列型ＬＥＤ用リードフレーム、並びにその製造方法を着想した。
【００４０】
本発明を導出する以前に着想した発明
本発明を導出する以前に着想した発明にかかるＬＥＤパッケージは、図１０(f)に示すように、ＬＥＤパッケージ領域が複数配列された多列型ＬＥＤパッケージを切断することによって形成された個々のＬＥＤパッケージであって、金属板１０から、連結部を備えることなく、夫々分離した所定形状に形成されたパッド部１１及びリード部１２と、パッド部１１とリード部１２との間に介在するとともに、パッド部１１及びリード部１２の外周を囲み、パッド部１１及びリード部１２を固定するリフレクタ樹脂部１５を有している。また、多列型ＬＥＤパッケージを切断することによって形成された切断面が、パッド部１１及びリード部１２の外周を囲む樹脂部（リフレクタ樹脂部１５、補強用樹脂部１５’）の外周面にのみ存在し、且つ、パッド部１１及びリード部１２の一部が、リフレクタ樹脂部１５におけるＬＥＤ素子２０を搭載する側とは反対側においてリフレクタ樹脂部１５の外周面に形成された切断面よりも内側の領域に露出している。なお、図１０中、１４はボンディングワイヤ、１６は透明樹脂部である。
【００４１】
図１０(f)に示すＬＥＤパッケージによれば、特許文献１、２に記載のＬＥＤパッケージのような従来のＬＥＤパッケージとは異なり、メッキを被覆されていないリードフレームの基材をなす金属が連結部の切断面として露出することがない。
このため、切断面での金属バリの発生の虞や切断面からの水分の浸入の虞がなく、金属が腐食してＬＥＤパッケージ製品の品質を劣化させる等の不具合を生じない。
【００４２】
また、図１０(f)に示すＬＥＤパッケージによれば、個々のＬＥＤパッケージを得る前段階の、ＬＥＤパッケージ領域が複数配列された多列型ＬＥＤパッケージを製造した段階（図１０(d)、図１０(e)参照）において、個々のリードフレーム領域におけるパッド部１１やリード部１２と、他のリードフレーム領域におけるパッド部１１又はリード部１２や、多列型リードフレーム製造用の金属板１０における図示しない外枠部とが、リフレクタ樹脂部１５や補強用樹脂１５’等の樹脂部のみで固定され、リードフレームの基材をなす金属による連結部が存在しない構成となる。
このため、ＬＥＤパッケージ領域が複数配列された多列型ＬＥＤパッケージから個々のＬＥＤパッケージを得る際におけるブレードの切断対象部位は、外枠部の一部を除き、殆ど全てがリフレクタ樹脂部１５や補強用樹脂１５’等の樹脂部のみとなる。
その結果、リードフレームの基材をなす金属を切断する量を、特許文献１、２に記載のＬＥＤパッケージのような連結部を有する従来のＬＥＤパッケージに比べて、大幅に減らすことができ、切断加工する際のブレードに与える悪影響を格段に低減し、ブレードの連続生産性と寿命を延ばすことができる。
【００４３】
また、図１０(f)に示すＬＥＤパッケージによれば、個々のＬＥＤパッケージを得る前段階の、ＬＥＤパッケージ領域が複数配列された多列型ＬＥＤパッケージを製造した段階（図１０(d)、図１０(e)参照）において、個々のリードフレーム領域におけるパッド部１１やリード部１２と、他のリードフレーム領域におけるパッド部１１又はリード部１２や、多列型リードフレーム製造用の金属板１０における図示しない外枠部とが、リフレクタ樹脂部１５や補強用樹脂１５’等の樹脂部のみで固定され、リードフレームの基材をなす金属による連結部が存在しない構成となることによって、ブレードの幅を薄くしてもブレードに大きな悪影響を与えることなく、リフレクタ樹脂部１５や補強用樹脂１５’等の樹脂部のみを切断して個々のＬＥＤパッケージにすることができる。そして、特許文献１、２に記載のＬＥＤパッケージのような連結部を有する多列型リードフレームを用いた従来のＬＥＤパッケージにおいては、０．３〜０．５ｍｍ程度は設けざるを得なかったブレードの切断幅を、本発明のＬＥＤパッケージのように構成することで、０．１〜０．３ｍｍ程度に狭く設定できるようになる。
その結果、個々のリードフレーム領域におけるパッド部１１やリード部１２と、他のリードフレーム領域におけるパッド部１１又はリード部１２や、多列型リードフレーム製造用の金属板における外枠部（不図示）とを固定するリフレクタ樹脂部１５や補強用樹脂部１５’等の樹脂部の幅を狭くすることができ、多列型リードフレーム形成エリア内において形成しうる個々のリードフレームの数を増やすことができ、製造時において格段の集積化が可能となる。しかも、特許文献１、２に記載のＬＥＤパッケージとは異なり、連結部に変形が生じ難いように、パッド部及びリード部の形状、連結部との接続位置を工夫する必要がないため、パッド部やリード部の設計の自由度が大きくなる。
【００４４】
また、本発明を導出する以前に着想した発明にかかる多列型ＬＥＤ用リードフレームは、図１０(a)に示すように、ＬＥＤ用リードフレーム領域が複数配列された多列型ＬＥＤ用リードフレームであって、個々のリードフレーム領域は、金属板１０の上面におけるパッド部１１及びリード部１２に対応する所定位置に形成された反射用めっき層１３ａと、金属板１０の下面におけるパッド部１１及びリード部１２に対応する所定位置に形成された外部接続用めっき層１３ｂと、金属板１０における、パッド部１１に対応する反射用めっき層１３ａとリード部１２に対応する反射用めっき層１３ａとの間及び当該リードフレーム領域における反射用めっき層１３ａと隣り合う他のリードフレーム領域における反射用めっき層１３ａとの間に、ハーフエッチングにより形成された凹部１９ａ，１９ｂと、を有する。そして、凹部１９ａ，１９ｂにより、金属板１０の上面側がハーフエッチングを施した深さにおいてパッド部１１とリード部１２とに区画されるとともに、当該リードフレーム領域と隣り合う他のリードフレーム領域とに区画されている。
【００４５】
図１０(a)に示す多列型ＬＥＤ用リードフレームによれば、図１０(b)に示すように、金属板１０の上面に形成された凹部１９ａ，１９ｂに、区画されたパッド部とリード部との間に介在するとともに、パッド部１１及びリード部１２の外周をパッド部１１のＬＥＤ素子搭載面に搭載するＬＥＤ素子よりも上方に突出するように囲むリフレクタ樹脂部１５を形成し、次いで、図１０(c)に示すように、金属板１０の上面側において区画されたパッド部１１の面にＬＥＤ素子２０を搭載するとともに、金属板１０の上面側において区画されたリード部１１とＬＥＤ素子２０とをワイヤボンディングし、金属板の上面側において区画されたパッド部１１及びリード部１２におけるリフレクタ樹脂部１５で囲まれ、ＬＥＤ素子２０が搭載された内部空間を充填する透明樹脂部１６を設け、次いで、図１０(d)に示すように、金属板１０の下面に形成された外部接続用めっき層１３ｂをエッチングマスクとして、下面側からリフレクタ樹脂部１５が露出するようにエッチングを行うことで、金属板１０におけるパッド部１１とリード部１２及び隣り合う他のＬＥＤパッケージ領域におけるパッド部１１又はリード部１２とを分離し、パッド部１１とリード部１２及び隣り合う他のＬＥＤパッケージ領域におけるパッド部１１又はリード部１２がリフレクタ樹脂部１５のみで固定されるようにすることができ、上述した図１０(f)に示すＬＥＤパッケージを得る前段階の、ＬＥＤパッケージ領域が複数配列された多列型ＬＥＤパッケージを製造可能となる。
【００４６】
そして、図１０(a)に示す多列型ＬＥＤ用リードフレームを用いて、図１０(d)に示すＬＥＤパッケージを得る前段階の、ＬＥＤパッケージ領域が複数配列された多列型ＬＥＤパッケージを製造する過程において、金属板１０の下面に形成された外部接続用めっき層１３ｂをエッチングマスクとして、下面側からリフレクタ樹脂部１５が露出するようにエッチングを行うまでは、リードフレームの裏面側は金属が、例えばリードフレームの基材をなす金属板の厚さの約２５〜５０％程度等、相当程度の厚みをもって一体に繋がっているため、個々のリードフレーム領域の変形が生じることがなく、パッド部１１やリード部１２の段差、変形、反り等が生じず、裏面側に露出する外部接続用の端子面の平坦性が保たれる。このため、多列型リードフレームの裏側に露出する面全体に連結部を介して連結されるパッド部やリード部の変形や反りを防止するための耐熱性ポリイミドフィルムや耐熱性シリコン接着剤で構成される高価な樹脂製のテープが不要となり、コストを低減できる。
【００４７】
また、図１０(a)に示す多列型ＬＥＤ用リードフレームにおいて、図１０(b)に示すように、凹部１９ａ，１９ｂには、区画されたパッド部１１とリード部１２の間との間に介在するとともに、パッド部１１及びリード部１２の外周をパッド部１１のＬＥＤ素子搭載面に搭載するＬＥＤ素子２０よりも上方に突出するように囲むリフレクタ樹脂部１５が形成されるようにすれば、リードフレームの裏面側の金属が、例えばリードフレームの基材をなす金属板の厚さの約２５〜５０％程度等、相当程度の厚みをもって一体に繋がっていることに加えて、リフレクタ樹脂部１５がパッド部１１及びリード部１２を固定するため、ＬＥＤパッケージ領域が複数配列された多列型ＬＥＤパッケージを製造する過程に用いたときの、個々のリードフレーム領域の変形がより一層生じ難くなり、パッド部１１やリード部１２の段差、変形、反り等がより一層生じず、裏面側に露出する外部接続用の端子面の平坦性がより一層保たれる。
【００４８】
なお、上述した図１０(f)に示すＬＥＤパッケージは、金属板１０の上面側より、パッド部１１とリード部１２がハーフエッチングによる凹部１９ａ，１９ｂが形成されて区画され、パッド部１１とリード部１２の上面には反射用めっき層１３ａが形成され、パッド部１１とリード部１２の下面には外部接続用めっき層１３ｂが形成された多列型ＬＥＤ用リードフレームを準備する工程（図１０(a)参照）と、金属板１０の上面側におけるハーフエッチングにより形成された凹部１９ａ，１９ｂにリフレクタ樹脂１５を充填し、区画されたパッド部１１とリード部１２との間に介在するとともに、パッド部１１及びリード部１２の外周をパッド部１１のＬＥＤ素子搭載面に搭載するＬＥＤ素子２０よりも上方に突出するように囲むリフレクタ樹脂部１５を形成する工程（図１０(b)参照）と、金属板１０の上面側において区画されたパッド部１１の面にＬＥＤ素子２０を搭載するとともに、金属板１０の上面側において区画されたリード部１２とＬＥＤ素子２０とをワイヤボンディングする工程と、金属板１０の上面側において区画されたパッド部１１及びリード部１２におけるリフレクタ樹脂部１５で囲まれ、ＬＥＤ素子２０が搭載された内部空間を充填する透明樹脂部１６を設ける工程（図１０(c)参照）と、金属板１０の下面に形成された外部接続用めっき層１３ｂをエッチングマスクとして、下面側からリフレクタ樹脂部１５が露出するようにエッチングを行い、金属板１０におけるパッド部１１とリード部１２及び隣り合う他のＬＥＤパッケージ領域におけるパッド部１１又はリード部１２とを分離し、パッド部１１とリード部１２及び隣り合う他のＬＥＤパッケージ領域におけるパッド部１１又はリード部１２がリフレクタ樹脂部１５のみで固定されるようにする工程（図１０(d)参照）と、金属板の下面側からエッチングされて凹んだ部分に補強用樹脂を充填して補強用樹脂部を形成する工程（図１０(e)参照）、樹脂部（リフレクタ樹脂部１５、補強用樹脂１５’）における、パッド部１１及びリード部１２の外周を囲む部位を切断する工程（図１０(f)参照）と、を有することによって製造できる。
【００４９】
本発明を導出する以前に着想した発明における課題
本件発明者が、更に検討・考察を重ねたところ、図１０に示すＬＥＤパッケージ及び多列型ＬＥＤ用リードフレーム、並びにその製造方法には、後述するように、ＬＥＤ素子搭載部を充填する透明樹脂部のエッチング用薬液との接触による影響、ＬＥＤ素子搭載部へのエッチング用薬液の浸入、樹脂形成工程の回数等の改良すべき課題があることが判明した。
【００５０】
(1)ＬＥＤ素子搭載部を充填する透明樹脂部に対するエッチング用薬液の影響
図１０に示すＬＥＤパッケージの製造方法においては、多列型ＬＥＤ用リードフレームにリフレクタ樹脂部１５を形成（図１０(b)参照）後に、ＬＥＤ素子２０を搭載するとともにワイヤボンディングし、次いで、ＬＥＤ素子２０が搭載された内部空間を充填する透明樹脂部１６を設け（図１０(c)参照）、その後に金属板の下側部分で繋がっているパッド部１１とリード部１２とを分離するために、下面側からリフレクタ樹脂部１５が露出するようにエッチングを行っている（図１０(d)参照）。
しかるに、透明樹脂部１６を設けた後にエッチングを行うと、透明樹脂部１６がエッチング液と接触することにより、その表面が変質して透過率が低下し、製造後のＬＥＤ装置からの照射光量が弱められる等の品質劣化が懸念される。
【００５１】
(2)ＬＥＤ素子搭載部へのエッチング用薬液の浸入
また、透明樹脂部１６を設けた後にエッチングを行うと、エッチング液が透明樹脂部１６とリフレクタ樹脂部１５との界面からＬＥＤ素子搭載領域に浸入して、ＬＥＤ装置の回路に悪影響を及ぼすことが懸念される。
(3)樹脂形成工程の回数
図１０に示すＬＥＤパッケージの製造方法においては、図１０(d)に示すように、下面側からリフレクタ樹脂部１５が露出するようにエッチングを行うことにより、金属板におけるパッド部１１とリード部１２とが分離し、分離したパッド部１１とリード部１２がリフレクタ樹脂部のみで固定されるようにしている。
ところで、図１０(d)に示すように、金属板の下面側からエッチングを行うと、エッチングされた部分が金属板の厚さの約５０〜７５％程度の深さで凹み、パッド部１１とリード部１２の下面側の部分がリフレクタ樹脂部１５で固定されていない分、個々のリードフレーム領域の変形し難さが弱められる。
そこで、図１０に示すＬＥＤパッケージの製造方法においては、下面側からのエッチングにより変形し難さが弱められた個々のリードフレーム領域を補強するため、図１０(e)に示すように、金属板の下面側からのエッチングにより凹んだ部分に補強用樹脂１５’を充填してパッド部とリード部の側面を金属板の厚み全体にわたって固定する工程を備えるようにした。
しかし、金属板の下面側からのエッチングにより凹んだ部分に補強用樹脂１５’を充填する工程を備えると、ＬＥＤパッケージの完了までの間に、リフレクタ樹脂部の形成と、透明樹脂部の形成と、補強用樹脂部の形成、の３回の樹脂形成工程が必要となり、その分、工程が煩雑化する。
【００５２】
本発明の作用効果
そこで、本件発明者は、図１０に示した発明における上記(1)〜(3)の課題を鑑み、更なる検討・考察、試行錯誤を重ねた結果、図１０に示した発明による上述の効果を維持し、且つ、上記(1)〜(3)の課題を解決する本発明を着想した。
【００５３】
本発明の多列型ＬＥＤ用リードフレームは、ＬＥＤ用リードフレーム領域が複数配列された多列型ＬＥＤ用リードフレームであって、個々のリードフレーム領域は、金属板から、連結部を備えることなく、夫々分離した、略同じ平面形状及び略同じ平面視面積を有する矩形の平板形状に形成された１対のパッド部及びリード部と、金属板の上面におけるパッド部及びリード部に対応する所定位置に形成された反射用めっき層と、パッド部とリード部との間に介在するとともに、パッド部及びリード部の外周をパッド部のＬＥＤ素子搭載面に搭載するＬＥＤ素子よりも上方に突出するように囲み、パッド部及びリード部を固定するリフレクタ樹脂部と、を有し、金属板の下面側は、リフレクタ樹脂部と金属板の面のみが露出し、金属板の下面側に露出する金属板の面が、リフレクタ樹脂部における最も下側の部位よりも金属板の上面側に位置するように形成されたエッチング加工面からなる。
【００５４】
本発明の多列型ＬＥＤ用リードフレームのように構成すれば、金属板の上面側においてパッド部の面にＬＥＤ素子を搭載するとともに、リード部とＬＥＤ素子とをワイヤボンディングし、パッド部及びリード部におけるリフレクタ樹脂部で囲まれ、ＬＥＤ素子が搭載された内部空間を充填する透明樹脂部を設け、金属板の下面側において、金属板の露出面に外装めっきを施すことで、ＬＥＤパッケージを得る前段階の、ＬＥＤパッケージ領域が複数配列された多列型ＬＥＤパッケージを製造可能となる。そして、多列型ＬＥＤパッケージに形成されたリフレクタ樹脂部におけるパッド部及びリード部の外周を囲む部位を切断することにより、個々のＬＥＤパッケージを製造できる。
【００５５】
このとき、製造される個々のＬＥＤパッケージは、ＬＥＤパッケージ領域が複数配列された多列型ＬＥＤパッケージを切断することによって形成された切断面が、パッド部及びリード部の外周を囲むリフレクタ樹脂部の外周面にのみ存在する。このため、特許文献１、２に記載のＬＥＤパッケージのような従来のＬＥＤパッケージとは異なり、メッキを被覆されていないリードフレームの基材をなす金属が連結部の切断面として露出することがない。
その結果、図１０に示した発明のＬＥＤパッケージと同様、切断面での金属バリの発生の虞や切断面からの水分の浸入の虞がなく、金属が腐食してＬＥＤパッケージ製品の品質を劣化させる等の不具合を生じない。
【００５６】
また、本発明の多列型ＬＥＤ用リードフレームを用いて製造されるＬＥＤパッケージは、切断面が、パッド部及びリード部の外周を囲むリフレクタ樹脂部の外周面にのみ存在する構成となるので、個々のＬＥＤパッケージを得る前段階の、ＬＥＤパッケージ領域が複数配列された多列型ＬＥＤパッケージを製造した段階においては、個々のリードフレーム領域におけるパッド部やリード部と、他のリードフレーム領域におけるパッド部又はリード部や、多列型リードフレーム製造用の金属板における外枠部とが、リフレクタ樹脂部のみで固定され、リードフレームの基材をなす金属による連結部は存在しない構成となる。
このため、ＬＥＤパッケージ領域が複数配列された多列型ＬＥＤパッケージから個々のＬＥＤパッケージを得る際におけるブレードの切断対象部位は、外枠部の一部を除き、殆ど全てがリフレクタ樹脂部となる。
その結果、図１０に示した発明のＬＥＤパッケージと同様、リードフレームの基材をなす金属を切断する量を、特許文献１、２に記載のＬＥＤパッケージのような連結部を有する従来のＬＥＤパッケージに比べて、大幅に減らすことができ、切断加工する際のブレードに与える悪影響を格段に低減し、ブレードの連続生産性と寿命を延ばすことができる。
【００５７】
また、本発明の多列型ＬＥＤ用リードフレームのように構成すれば、本発明の多列型ＬＥＤ用リードフレームを用いて、個々のＬＥＤパッケージを得る前段階の、ＬＥＤパッケージ領域が複数配列された多列型ＬＥＤパッケージを製造した段階において、個々のリードフレーム領域におけるパッド部やリード部と、他のリードフレーム領域におけるパッド部又はリード部や、多列型リードフレーム製造用の金属板における外枠部とが、リフレクタ樹脂部のみで固定され、リードフレームの基材をなす金属による連結部が存在しない構成となることによって、ブレードの幅を薄くしてもブレードに大きな悪影響を与えることなく、リフレクタ樹脂部を切断して個々のＬＥＤパッケージにすることができる。そして、特許文献１、２に記載のＬＥＤパッケージのような連結部を有する多列型リードフレームを用いた従来のＬＥＤパッケージにおいては、０．３〜０．５ｍｍ程度は設けざるを得なかったブレードの切断幅を、本発明のＬＥＤパッケージのように構成することで、０．１〜０．３ｍｍ程度に狭く設定できるようになる。
その結果、図１０に示した発明のＬＥＤパッケージと同様、個々のリードフレーム領域におけるパッド部やリード部と、他のリードフレーム領域におけるパッド部又はリード部や、多列型リードフレーム製造用の金属板における外枠部とを固定するリフレクタ樹脂部の幅を狭くすることができ、多列型リードフレーム形成エリア内において形成しうる個々のリードフレームの数を増やすことができ、製造時において格段の集積化が可能となる。しかも、特許文献１、２に記載のＬＥＤパッケージとは異なり、連結部に変形が生じ難いように、パッド部及びリード部の形状、連結部との接続位置を工夫する必要がないため、パッド部やリード部の設計の自由度が大きくなる。
【００５８】
そして、本発明の多列型ＬＥＤ用リードフレームを用いて、個々のＬＥＤパッケージを得る前段階の、ＬＥＤパッケージ領域が複数配列された多列型ＬＥＤパッケージを製造する過程において、リードフレームのパッド部とリード部との間及びパッド部及びリード部の周囲に、金属板の上面側から介在するリフレクタ樹脂部が、リードフレームの基材をなす、多列型リードフレーム製造時の金属板の厚さと同程度以上の厚みをもってパッド部及びリード部を固定するため、図１０に示した発明の多列型ＬＥＤ用リードフレームと同様、個々のリードフレーム領域の変形が生じることがなく、パッド部やリード部の段差、変形、反り等が生じず、裏面側に露出する外部接続用の端子面の平坦性が保たれる。このため、多列型リードフレームの裏側に露出する面全体に連結部を介して連結されるパッド部やリード部の変形や反りを防止するための耐熱性ポリイミドフィルムや耐熱性シリコン接着剤で構成される高価な樹脂製のテープが不要となり、コストを低減できる。
【００５９】
さらに、本発明の多列型ＬＥＤ用リードフレームのように、金属板の下面側は、リフレクタ樹脂部と金属板の面のみが露出し、金属板の下面側に露出する金属板の面が、リフレクタ樹脂部における最も下側の部位よりも金属板の上面側に位置するように形成されたエッチング加工面からなり、個々のリードフレーム領域において、１対のパッド部及びリード部が、金属板から、連結部を備えることなく、夫々分離した、略同じ平面形状及び略同じ平面視面積を有する矩形の平板形状に形成されている構成にすれば、図１０に示した発明のＬＥＤパッケージ、多列型ＬＥＤ用リードフレームとは異なり、ＬＥＤパッケージの製造工程において、ＬＥＤ素子が搭載された内部空間を充填する透明樹脂部を設けた後に下面側からリフレクタ樹脂部が露出するようにエッチングする必要がなくなる。
その結果、透明樹脂部がエッチング液と接触することがなく、その表面が変質して透過率が低下し、製造後のＬＥＤ装置からの照射光量が弱められる等の品質劣化の懸念もなくなる。
また、ＬＥＤパッケージの製造工程において、透明樹脂部を設けた後にエッチングを行う必要がなくなる結果、エッチング液が透明樹脂部とリフレクタ樹脂との界面から透明樹脂部を充填しているＬＥＤ搭載領域に浸入してＬＥＤ装置の回路に悪影響を及ぼす虞がなくなる。
【００６０】
また、本発明の多列型ＬＥＤ用リードフレームのように、金属板の下面側が、リフレクタ樹脂部と金属板の面のみが露出し、金属板の下面側に露出する金属板の面が、リフレクタ樹脂部における最も下側の部位よりも金属板の上面側に位置するように形成されたエッチング加工面からなる構成にすれば、多列型ＬＥＤ用リードフレームの製造工程においては、金属板の上面側からハーフエッチングを施し、金属板におけるハーフエッチングを施した深さにおいてパッド部とリード部とに区画する凹部を形成し、金属板におけるハーフエッチングにより形成された凹部にリフレクタ樹脂を充填し、金属板の上面側で区画された当該リードフレーム領域内のパッド部及びリード部との間に介在するとともに、パッド部及びリード部の外周をパッド部のＬＥＤ素子搭載面に搭載するＬＥＤ素子よりも上方に突出するように囲むリフレクタ樹脂部を形成した後に、金属板の下面側からリフレクタ樹脂部が露出し、金属板の下面側に露出する金属板の面が、リフレクタ樹脂部における最も下側の部位よりも金属板の上面側に位置するように金属板を加工する工程（エッチング）を設けることが必須になる。そして、リフレクタ樹脂部が露出するように金属板を加工すると、金属板の厚みが薄肉化される。その結果、多列型ＬＥＤ用リードフレームや、多列型ＬＥＤ用リードフレームを用いて製造したＬＥＤパッケージを薄型化でき、外部機器における実装スペースを増やすことができる。
【００６１】
また、本発明の多列型ＬＥＤ用リードフレームのように、金属板の下面側が、リフレクタ樹脂部と金属板の面のみが露出している構成にすれば、多列型リードフレームの製造工程において、金属板の下面に外部接続用のめっき層を形成する工程を設ける必要がなくなり、工程を格段に簡素化できる。
なお、下面側からリフレクタ樹脂部が露出するように加工された金属板の面には、ＬＥＤパッケージの製造工程において、ＬＥＤ素子を搭載し透明樹脂部を形成後に半田めっき等の外装めっきを施すことで、外部接続用端子面を形成できる。
【００６４】
また、本発明の多列型ＬＥＤ用リードフレームにおいては、好ましくは、パッド部とリード部の夫々の側面は、粗化処理が施されている。
このようにすれば、リフレクタ樹脂部の密着性が向上する。
【００６５】
なお、上述した本発明の多列型ＬＥＤ用リードフレームは、金属板の上面におけるパッド部及びリード部に対応する所定位置に反射用めっき層を形成する工程と、金属板の上面側に、個々のリードフレーム領域を、形成した反射用めっき層を覆い、夫々分離した、略同じ平面形状及び略同じ平面視面積を有する矩形の平板形状の１対のパッド部とリード部とに区画しうるエッチング用のレジストマスクを形成するとともに、金属板の下面に、全面を覆うエッチング用のレジストマスクを形成する工程と、金属板の上面側からハーフエッチングを施し、金属板におけるハーフエッチングを施した深さにおいてパッド部とリード部とに区画する凹部を形成する工程と、金属板に形成したエッチング用のレジストマスクを除去する工程と、金属板におけるハーフエッチングにより形成された凹部にリフレクタ樹脂を充填し、金属板の上面側で区画された当該リードフレーム領域内のパッド部及びリード部との間に介在するとともに、パッド部及びリード部の外周をパッド部のＬＥＤ素子搭載面に搭載するＬＥＤ素子よりも上方に突出するように囲むリフレクタ樹脂部を形成する工程と、金属板の下面側から、リフレクタ樹脂部が露出し、金属板の下面側に露出する金属板の面が、リフレクタ樹脂部における最も下側の部位よりも金属板の上面側に位置するように金属板を加工する工程と、を有することによって製造できる。
【００６６】
好ましくは、リフレクタ樹脂部が露出するように金属板を加工する工程は、金属板の上面側に、反射用めっき層の露出部位のエッチング液との接触を防止するための保護部材を設ける工程と、金属板の下面側からエッチングを施し、リフレクタ樹脂部を露出させて、金属板の面が、リフレクタ樹脂部における最も下側の部位よりも金属板の上面側に位置するように形成する工程と、を有するようにする。
【００６７】
また、好ましくは、金属板の下面側からエッチングを施し、リフレクタ樹脂部を露出させる工程の後に、金属板の下面側を研磨し、露出しているリフレクタ樹脂部が金属板とともに面一になるように形成する。
このようにすれば、多列型ＬＥＤ用リードフレームや、多列型ＬＥＤ用リードフレームを用いて製造したＬＥＤパッケージをより一層薄型化でき、外部機器における実装スペースをより一層増やすことができる。また、金属板の下面側を面一に形成すれば、ＬＥＤパッケージを安定した状態で外部機器に搭載し易くなる。
【００６８】
また、好ましくは、保護部材を設ける工程では、リフレクタ樹脂部の上面側をマスキングテープで覆い、リフレクタ樹脂部で囲まれた内部空間を密封し、さらに、金属板の下面側からエッチングを施し、リフレクタ樹脂部を露出させる工程の後にマスキングテープを除去するようにする。
または、好ましくは、保護部材を設ける工程では、リフレクタ樹脂部の上面側をマスキングテープで覆い、リフレクタ樹脂部で囲まれた内部空間を密封し、さらに、金属板の下面側を研磨し、露出しているリフレクタ樹脂部が金属板とともに面一になるように形成する工程の後にマスキングテープを除去するようにする。
または、好ましくは、保護部材を設ける工程では、反射用めっき層の露出部位に耐エッチング性を有する保護膜を形成するようにする。
上記のように保護部材を設ければ、反射用めっき層をエッチングレジストとして用いずに済み、反射用めっき層がエッチング液の影響を受けず、表面に凹凸が形成されることなく平滑に保つことができる。このため、本発明の多列型ＬＥＤ用リードフレームの製造方法を用いて、ＬＥＤ搭載側の反射用めっき層の表層に光沢Ａｇめっき層を形成するＬＥＤ用リードフレームを製造した場合、光沢Ａｇめっき層の反射率の低下を防止できる。
【００６９】
また、上述した本発明の多列型ＬＥＤ用リードフレームの製造方法のように、リフレクタ樹脂部が露出するように金属板を加工する工程が、金属板の下面側からエッチングを施し、リフレクタ樹脂部を露出させて、金属板の面が、リフレクタ樹脂部における最も下側の部位よりも該金属板の上面側に位置するように形成する工程からなるようにすれば、ＬＥＤパッケージの製造工程において、金属板の下面側をエッチングする工程を設ける必要がなくなる。このため、金属板の上面側に、反射用めっき層の露出部位のエッチング液との接触を防止するための保護部材を設ける工程も設ける必要がなくなる。その結果、コストを低減し、製造工程を格段に簡素化できる。
【００７０】
また、上述した本発明の多列型ＬＥＤ用リードフレームの製造方法においては、好ましくは、金属板の上面側からのハーフエッチングにより、形成される凹部の面を粗化処理する。
このようにすれば、凹部にリフレクタ樹脂部を形成したときのリフレクタ樹脂部の密着性が向上する。
【００７１】
なお、上述した本発明のＬＥＤパッケージは、個々のリードフレーム領域が、金属板から、連結部を備えることなく、夫々分離した、略同じ平面形状及び略同じ平面視面積を有する矩形の平板形状に形成された１対のパッド部及びリード部と、金属板の上面におけるパッド部及びリード部に対応する所定位置に形成された反射用めっき層と、パッド部とリード部との間に介在するとともに、パッド部及びリード部の外周をパッド部のＬＥＤ素子搭載面に搭載するＬＥＤ素子よりも上方に突出するように囲み、パッド部及びリード部を固定するリフレクタ樹脂部と、を有し、金属板の下面側は、リフレクタ樹脂部と金属板の面のみが露出し、金属板の下面側に露出する金属板の面が、リフレクタ樹脂部における最も下側の部位よりも金属板の上面側に位置するように形成されたエッチング加工面からなる多列型ＬＥＤ用リードフレームを準備する工程と、金属板の上面側においてパッド部の面にＬＥＤ素子を搭載する工程と、金属板の上面側においてリード部とＬＥＤ素子とをワイヤボンディングするとともに、金属板の上面側においてパッド部及びリード部におけるリフレクタ樹脂部で囲まれ、ＬＥＤ素子が搭載された内部空間を充填する透明樹脂部を設ける工程と、金属板の下面側において、該金属板の露出面に外装めっきを施す工程と、リフレクタ樹脂部におけるパッド部及びリード部の外周を囲む部位を切断する工程と、を有することによって製造できる。
金属板の下面側において、金属板の露出面に施す外装めっきは、半田めっき等で行うことができる。金属板の露出面へ半田を装着するようにすれば、外部機器と接続される下側面からの酸化やイオンの回路内への侵入を防止できる。
【００７２】
多列型ＬＥＤ用リードフレームを準備する工程において、準備する多列型ＬＥＤ用リードフレームとして、金属板の下面側において、露出する金属板の面が、エッチングによりリフレクタ樹脂部における最も下側の部位よりも金属板の上面側に位置するように形成された、エッチング加工面からなるものを用いるようにすれば、金属板の厚みが薄肉化される。その結果、多列型ＬＥＤ用リードフレームを用いて製造したＬＥＤパッケージを薄型化でき、外部機器における実装スペースを増やすことができる。
【００７４】
また、好ましくは、多列型ＬＥＤ用リードフレームを準備する工程において、準備する多列型ＬＥＤ用リードフレームは、パッド部とリード部の夫々の側面に粗化処理が施されている。
このようにすれば、リフレクタ樹脂部の密着性が向上する。
【００７５】
従って、本発明によれば、製品化された個々のＬＥＤパッケージの切断面での金属バリの発生による接触不良の虞や切断面からの水分の浸入の虞がなく、製造に際しては、個々に配置されるＬＥＤパッケージの集積化を促進し、パッド部やリード部の段差、変形や反り等を阻止して、裏面側に露出する外部接続用の端子面の平坦性を良好に保って生産性を向上させることができ、また、高価な樹脂テープの貼り付けが不要でコストを低減でき、さらには、個々のＬＥＤパッケージを得るために切断するブレードの連続生産性と寿命を延ばすことができ、しかも、ＬＥＤ素子搭載部を充填する透明樹脂部がエッチング用薬液の影響を受けず、ＬＥＤ素子搭載部へエッチング用薬液の浸入の虞がなく、樹脂形成工程の回数を低減可能で、さらに、薄型化が可能で、リードフレームの製造工程を格段に簡素化可能な多列型ＬＥＤ用リードフレーム、並びにＬＥＤパッケージ及び多列型ＬＥＤ用リードフレームの製造方法が得られる。
【００７６】
以下、本発明の実施形態について、図面を用いて説明する。
図１は本発明の一実施形態にかかるＬＥＤパッケージの製造方法により製造されるＬＥＤパッケージの概略構成を示す図で、(a)は切断されて一個の製品となった状態のＬＥＤパッケージの断面図、(b)は切断される前の一括製造された多列型ＬＥＤパッケージにおける切断部を示す部分断面図、(c)は(a)の変形例にかかるＬＥＤパッケージの断面図である。図２は図１に示すＬＥＤパッケージの製造に用いる多列型ＬＥＤ用リードフレームの概略構成を示す図で、(a)は個々のリードフレーム領域におけるパッド部とリード部の配置を上面側からみた部分平面図、(b)は(a)のＢ−Ｂ断面図、(c)は図１(a)に示すＬＥＤパッケージに用いる多列型ＬＥＤ用リードフレームの個々のリードフレーム領域における構成を示す断面図、(d)は図１(c)に示す変形例にかかるＬＥＤパッケージに用いる多列型ＬＥＤ用リードフレームの個々のリードフレーム領域における構成を示す断面図、(e)は本実施形態の比較例にかかる図１０の構成を備えた多列型ＬＥＤ用リードフレームの個々のリードフレーム領域における構成を示す断面図である。図３は図２(c)に示す多列型ＬＥＤ用リードフレームの製造工程を示す説明図である。図４は図２(d)に示す多列型ＬＥＤ用リードフレームの製造工程の一例を示す説明図である。図５は図２(d)に示す多列型ＬＥＤ用リードフレームの製造工程の他の例を示す説明図である。なお、便宜上、図３〜図５では一つのリードフレーム領域のみを示してある。
【００７７】
本実施形態のＬＥＤパッケージの製造方法により製造される個々のＬＥＤパッケージは、図１(a)に示すように、１対のパッド部１１及びリード部１２と、反射用めっき層１３ａと、外装めっき部３８と、ＬＥＤ素子２０と、ボンディングワイヤ１４と、リフレクタ樹脂部１５と、透明樹脂部１６を有して構成されている。
パッド部１１及びリード部１２は、リードフレームの基材をなす金属板から、連結部を備えることなく、夫々分離した、略同じ平面形状及び略同じ平面視面積を有する矩形の平板形状に形成されている。
反射用めっき層１３ａは、パッド部１１及びリード部１２の上面側に形成されている。
外装めっき部３８は、パッド部１１及びリード部１２の下面側に形成されている。
外装めっき部３８が形成される金属板の下面は、エッチングによりリフレクタ樹脂部１５における最も下側の部位よりも金属板の上面側に位置するように形成されたエッチング加工面で構成されている。
リフレクタ樹脂部１５は、図２(a)においてハッチングで示した領域に形成された後、パッケージの外形ラインが残るように切断されている。また、リフレクタ樹脂部１５は、図１(a)に示すように、金属板の上面側から下面側に入り込んで、例えば、多列型リードフレーム製造時の金属板の厚さと同程度以上の厚みをもって金属板の側面と密着している。そして、リフレクタ樹脂部１５は、パッド部１１とリード部１２との間を、ＬＥＤ素子２０を搭載する側が面一となるように介在するとともに、パッド部１１及びリード部１２の外周をパッド部１１のＬＥＤ素子搭載面に搭載するＬＥＤ素子２０よりも上方に突出するように囲み、パッド部１１及びリード部１２を固定している。
ＬＥＤ素子２０は、反射用めっき層１３ａが形成されたパッド部１１の面に搭載されている。
ボンディングワイヤ１４は、ＬＥＤ素子２０と反射用めっき層１３ａが形成されたリード部１２の面とを接合している。
透明樹脂部１６は、金属板の上面側において区画されたパッド部１１及びリード部１２におけるリフレクタ樹脂部１５で囲まれ、ＬＥＤ素子２０が搭載された内部空間を封止している。
そして、本実施形態のＬＥＤパッケージでは、ＬＥＤパッケージ領域が複数配列された多列型ＬＥＤパッケージを切断することによって形成された切断面は、パッド部１１及びリード部１２の外周を囲むリフレクタ樹脂部１５の外周面にのみ存在している。
また、リフレクタ樹脂部１５が形成されるパッド部１１とリード部１２の夫々の側面は、粗化処理が施されている。
なお、本実施形態のＬＥＤパッケージの製造方法により製造されるＬＥＤパッケージは、図１(c)に変形例として示すように、外装めっき部３８が形成される金属板の下面は、リフレクタ樹脂部１５とともに研磨により面一に形成されていてもよい。
【００７８】
また、本実施形態のＬＥＤパッケージの製造に使用されるリードフレームは、図２(a)、図２(b)に示すように、多数のＬＥＤパッケージを一度に得るために、１対のパッド部１１とリード部１２の組合せからなる個々のリードフレーム領域（図２においては夫々一点鎖線の矩形で示すパッケージ外形ラインが相当する。）がマトリックス状に配列された多列型リードフレームとして形成されている。
個々のリードフレーム領域は、図２(c)に示すように、１対のパッド部１１及びリード部１２と、反射用めっき層１３ａと、リフレクタ樹脂部１５と、を有して構成されている。
パッド部１１、リード部１２、反射用めっき層１３ａ、リフレクタ樹脂部１５の構成は、上述したＬＥＤパッケージにおけるものと、同様である。
そして、本実施形態の多列型ＬＥＤ用リードフレームは、金属板の下面側において、金属板の面が、エッチングによりリフレクタ樹脂部１５における最も下側の部位よりも金属板の上面側に位置するように形成されることで、図２(e)に比較例として示した図１０の構成を備えた多列型ＬＥＤ用リードフレームに比べて、金属板の厚みが薄肉化されている。そして、図２(c)に示す本実施形態の多列型ＬＥＤ用リードフレームは、図２(e)に示した比較例の多列型ＬＥＤ用リードフレームに比べて、高さｈα分、薄型に形成されている。なお、図２(a)中、１８は多列型リードフレーム製造用の金属板における外枠部である。
【００７９】
また、本実施形態の変形例の多列型ＬＥＤ用リードフレームは、図２(d)に示すように、金属板の下面側において、リフレクタ樹脂部１５が金属板とともに研磨により面一に形成されている。
そして、図２(d)に示す本実施形態の変形例の多列型ＬＥＤ用リードフレームは、図２(e)に示した比較例の多列型ＬＥＤ用リードフレームに比べて、高さｈα＋ｈβ分、薄型に形成されている。
【００８０】
このように構成される本実施形態の多列型ＬＥＤ用リードフレームは、例えば、次のようにして製造する。なお、製造の各工程において実施される、薬液洗浄や水洗浄等を含む前処理・後処理等は、便宜上説明を省略する。
【００８１】
まず、基材となる金属板（例えば、Ｃｕ材）（図３(a)参照）の両面にめっき用のレジストマスク３０を形成し、露出している金属板の上側の面のみに反射用めっき層１３ａを形成する（図３(b)参照）。
なお、本実施形態及び後述の実施例のＬＥＤパッケージ、多列型ＬＥＤ用リードフレームの製造工程において用いるレジストマスクの形成は、金属板の両面に例えばドライフィルムレジストをラミネートし、両面のドライフィルムレジストに対し、所定位置に、パッド部及びリード部の基部を形成するパターンが形成されたガラスマスクを用いて、両面を露光・現像することによって行う。なお、露光・現像は従来公知の方法により行う。例えば、ガラスマスクで覆った状態で紫外線を照射し、ガラスマスクを通過した紫外線が照射されたドライフィルムレジストの部位の現像液に対する溶解性を低下させて、それ以外の部分を除去することで、レジストマスクを形成する。なお、ここでは、レジストとしてネガ型のドライフィルムレジストを用いたが、レジストマスクの形成には、ネガ型の液状レジストを用いてもよい。さらには、ポジ型のドライフィルムレジスト又は液状レジストを用いて、ガラスマスクを通過した紫外線が照射されたレジストの部分の現像液に対する溶解性を増大させて、その部分を除去することでレジストマスクを形成するようにしてもよい。
【００８２】
露出している金属板の上側の面に必要なめっき層（反射用めっき層１３ａ）を形成後、めっき用のレジストマスク３０を剥離し（図３(c)参照）、上面側には形成した反射用めっき層１３ａを覆い、連結部を備えることなくパッド部１１とリード部１２とに区画しうる、所定のパターン形状のエッチング用のレジストマスク３１を形成するとともに、下面側には全面を覆うエッチング用のレジストマスク３１を形成する。なお、上面側のエッチング用のレジストマスク３１は、後述する工程において、露出した金属板をハーフエッチングしたときに、反射用めっき層１３ａ直下の金属が溶解除去されない程度、反射用めっき層１３ａを覆うように形成する。
露出した金属板をハーフエッチングしたときに、反射用めっき層１３ａ直下の金属が溶解除去されて、金属が溶解除去された部位の反射用めっき層１３ａが露出すると、反射用めっき層１３ａは薄いため，露出した部分がめっきバリとなって割れや欠けを生じ易くなる。そして、めっきバリが割れると、めっきバリ近傍の反射用めっき層１３ａも一緒に剥がれて、反射率を低下させる等の製品の品質劣化を招く虞がある。
そこで、反射用めっき層１３ａ直下の金属が溶解除去されない程度、反射用めっき層１３ａを覆うように上面側のエッチング用のレジストマスク３１を形成することによって、ハーフエッチングしたときの、めっきバリの発生を防止する。
【００８３】
次に、金属板の上面側から、例えば、金属板の厚さの約５０〜７５％程度の深さで、ハーフエッチングを施し、金属板におけるハーフエッチングを施した深さにおいてパッド部１１とリード部１２とが区画されるように凹部１９ａ，１９ｂを形成する（図３(d)参照）。このとき、上面側のエッチング用のレジストマスク３１が、反射用めっき層１３ａ直下の金属（ここでは、Ｃｕ）が溶解除去されない程度、反射用めっき層１３ａを覆っているため、反射用めっき層１３ａ直下の金属は、ハーフエッチングによって溶解除去されることなく残存する。
なお、金属板の上面側からのハーフエッチングは、好ましくは、形成される凹部１９ａ、１９ｂの面を粗化処理するように行う。
次に、エッチング用のレジストマスク３１を除去する（図３(e)参照）。
【００８４】
次に、金属板の上面側におけるハーフエッチングにより形成された凹部１９ａ，１９ｂにリフレクタ樹脂を充填し、区画されたパッド部１１とリード部１２との間に介在するとともに、パッド部１１及びリード部１２の外周をパッド部１１のＬＥＤ素子搭載面に搭載するＬＥＤ素子２０よりも上方に突出するように囲むリフレクタ樹脂部１５を、モールド金型を用いて形成する（図３(f)参照）。
【００８５】
次に、金属板の上面側に、反射用めっき層１３ａの露出部位のエッチング液との接触を防止するための保護部材を設ける。
詳しくは、形成したリフレクタ樹脂部１５の上面側をマスキングテープ３５で覆い、リフレクタ樹脂部１５で囲まれた内部空間（即ち、パッド部１１及びリード部１２におけるＬＥＤ素子が搭載される面及びワイヤボンディングされる面上の空間）を密封する。
なお、図３の例では、リフレクタ樹脂部１５の上面側をマスキングテープ３５で覆い、リフレクタ樹脂部１５で囲まれた内部空間を密封する代わりに、反射用めっき層１３ａの露出部位に、例えば、有機皮膜保護層などの耐エッチング性を有する保護膜を形成してもよい。
【００８６】
次に、リフレクタ樹脂部１５の上面側を覆うマスキングテープ３５をエッチングマスクとして、下面側からリフレクタ樹脂部１５が露出するようにエッチングを行い、金属板の面が、リフレクタ樹脂部１５における最も下側の部位よりも金属板の上面側に位置するように形成する（図３(g)参照）。
次に、マスキングテープ３５を剥がす（図３(h)参照）。これにより、図２(c)に示した本実施形態の多列型ＬＥＤ用リードフレームが完成する。
【００８７】
また、図２(d)に示した本実施形態の変形例の多列型ＬＥＤ用リードフレームは、図４又は図５に示す製造工程にしたがって製造する。
【００８８】
図４に示す製造工程は、基材となる金属板（例えば、Ｃｕ材）の準備（図４(a)参照）〜下面側からリフレクタ樹脂部１５が露出するようにエッチングを行い、金属板の面が、リフレクタ樹脂部１５における最も下側の部位よりも金属板の上面側に位置するように形成する（図４(g)参照）までの工程は、図３(a)〜図３(g)を参照して説明した工程と略同様である。
次に、金属板の下面側を研磨し、露出しているリフレクタ樹脂部１５が金属板とともに面一になるように形成する（図４(h)参照）。
次に、マスキングテープ３５を剥がす（図４(i)参照）。これにより、図２(d)に示した本実施形態の変形例の多列型ＬＥＤ用リードフレームが完成する。
【００８９】
図５に示す製造工程は、基材となる金属板（例えば、Ｃｕ材）の準備（図５(a)参照）〜リフレクタ樹脂部１５の形成（図５(f)参照）までは、図３(a)〜図３(f)を参照して説明した工程と略同様である。
次に、金属板の下面側を研磨し、リフレクタ樹脂部１５が金属板とともに面一に露出するように形成する（図５(g)参照）。これにより、図２(d)に示した本実施形態の変形例の多列型ＬＥＤ用リードフレームが完成する。
【００９０】
次に、本実施形態のＬＥＤパッケージの製造工程を説明する。
図６は図３に示す製造工程を経て得た多列型ＬＥＤ用リードフレームを用いたＬＥＤパッケージの製造工程の一例を示す説明図、図７は図４又は図５に示す製造工程を経て得た多列型ＬＥＤ用リードフレームを用いたＬＥＤパッケージの製造工程の一例を示す説明図である。なお、便宜上、図６、図７では一つのパッケージ領域のみを示してある。
まず、金属板の上面側においてパッド部１１の面にＬＥＤ素子２０を搭載する（図６(a)、図７(a）参照）とともに、リード部１２とＬＥＤ素子２０とをボンディングワイヤ１４を介して接続する（図６(b)、図７(b)参照）。さらに、パッド部１１及びリード部１２におけるリフレクタ樹脂部１５で囲まれ、ＬＥＤ素子２０が搭載された内部空間に透明樹脂を充填し、透明樹脂部１６を形成して、このリフレクタ樹脂部１５で囲まれた内部空間を封止する（図６(c)、図７(c)参照）。
次に、金属板の下面側において、金属板の露出面に半田めっき等の外装めっき３８を施す（図６(d)、図７(d)参照）。
次に、リフレクタ樹脂部１５における、パッド部１１及びリード部１２の外周を囲む部位を切断する。これにより、図１(a)、図１(c)に示した本実施形態のＬＥＤパッケージが完成する。
【００９１】
本実施形態の多列型ＬＥＤ用リードフレームによれば、金属板の上面側においてパッド部１１の面にＬＥＤ素子２０を搭載するとともに、リード部１２とＬＥＤ素子１１とをワイヤボンディングし、パッド部１１及びリード部１２におけるリフレクタ樹脂部１５で囲まれ、ＬＥＤ素子２０が搭載された内部空間を充填する透明樹脂部１６を設け、金属板の下面側において、金属板の露出面に外装めっき３８を施すことで、ＬＥＤパッケージを得る前段階の、ＬＥＤパッケージ領域が複数配列された多列型ＬＥＤパッケージを製造可能となる。そして、多列型ＬＥＤパッケージに形成されたリフレクタ樹脂部１５におけるパッド部１１及びリード部１２の外周を囲む部位を切断することにより、個々のＬＥＤパッケージを製造できる。
【００９２】
このとき、製造される個々のＬＥＤパッケージは、ＬＥＤパッケージ領域が複数配列された多列型ＬＥＤパッケージを切断することによって形成された切断面が、パッド部１１及びリード部１２の外周を囲むリフレクタ樹脂部１５の外周面にのみ存在する。このため、特許文献１、２に記載のＬＥＤパッケージのような従来のＬＥＤパッケージとは異なり、メッキを被覆されていないリードフレームの基材をなす金属が連結部の切断面として露出することがない。
その結果、図１０に示した発明のＬＥＤパッケージと同様、切断面での金属バリの発生の虞や切断面からの水分の浸入の虞がなく、金属が腐食してＬＥＤパッケージ製品の品質を劣化させる等の不具合を生じない。
【００９３】
また、本実施形態の多列型ＬＥＤ用リードフレームを用いて製造されるＬＥＤパッケージは、切断面が、パッド部１１及びリード部１２の外周を囲むリフレクタ樹脂部１５の外周面にのみ存在する構成となるので、個々のＬＥＤパッケージを得る前段階の、ＬＥＤパッケージ領域が複数配列された多列型ＬＥＤパッケージを製造した段階においては、個々のリードフレーム領域におけるパッド部１１やリード部１２と、他のリードフレーム領域におけるパッド部１１又はリード部１２や、多列型リードフレーム製造用の金属板における外枠部１８とが、リフレクタ樹脂部１５のみで固定され、リードフレームの基材をなす金属による連結部は存在しない構成となる。
このため、ＬＥＤパッケージ領域が複数配列された多列型ＬＥＤパッケージから個々のＬＥＤパッケージを得る際におけるブレードの切断対象部位は、外枠部１８の一部を除き、殆ど全てがリフレクタ樹脂部１５となる。
その結果、図１０に示した発明のＬＥＤパッケージと同様、リードフレームの基材をなす金属を切断する量を、特許文献１、２に記載のＬＥＤパッケージのような連結部を有する従来のＬＥＤパッケージに比べて、大幅に減らすことができ、切断加工する際のブレードに与える悪影響を格段に低減し、ブレードの連続生産性と寿命を延ばすことができる。
【００９４】
また、本実施形態の多列型ＬＥＤ用リードフレームによれば、本実施形態の多列型ＬＥＤ用リードフレームを用いて、個々のＬＥＤパッケージを得る前段階の、ＬＥＤパッケージ領域が複数配列された多列型ＬＥＤパッケージを製造した段階において、個々のリードフレーム領域におけるパッド部１１やリード部１２と、他のリードフレーム領域におけるパッド部１１又はリード部１２や、多列型リードフレーム製造用の金属板における外枠部１８とが、リフレクタ樹脂部１５のみで固定され、リードフレームの基材をなす金属による連結部が存在しない構成となることによって、ブレードの幅を薄くしてもブレードに大きな悪影響を与えることなく、リフレクタ樹脂部１５を切断して個々のＬＥＤパッケージにすることができる。そして、特許文献１、２に記載のＬＥＤパッケージのような連結部を有する多列型リードフレームを用いた従来のＬＥＤパッケージにおいては、０．３〜０．５ｍｍ程度は設けざるを得なかったブレードの切断幅を、本発明のＬＥＤパッケージのように構成することで、０．１〜０．３ｍｍ程度に狭く設定できるようになる。
その結果、図１０に示した発明のＬＥＤパッケージと同様、個々のリードフレーム領域におけるパッド部１１やリード部１２と、他のリードフレーム領域におけるパッド部１１又はリード部１２や、多列型リードフレーム製造用の金属板における外枠部１８とを固定するリフレクタ樹脂部１５の幅を狭くすることができ、多列型リードフレーム形成エリア内において形成しうる個々のリードフレームの数を増やすことができ、製造時において格段の集積化が可能となる。しかも、特許文献１、２に記載のＬＥＤパッケージとは異なり、連結部に変形が生じ難いように、パッド部及びリード部の形状、連結部との接続位置を工夫する必要がないため、パッド部やリード部の設計の自由度が大きくなる。
【００９５】
そして、本実施形態の多列型ＬＥＤ用リードフレームを用いて、個々のＬＥＤパッケージを得る前段階の、ＬＥＤパッケージ領域が複数配列された多列型ＬＥＤパッケージを製造する過程において、リードフレームのパッド部１１とリード部１２との間及びパッド部１１及びリード部１２の周囲に、金属板の上面側から介在するリフレクタ樹脂部１５が、リードフレームの基材をなす、多列型リードフレーム製造時の金属板の厚さと同程度以上の厚みをもってパッド部１１及びリード１２部を固定するため、図１０に示した発明の多列型ＬＥＤ用リードフレームと同様、個々のリードフレーム領域の変形が生じることがなく、パッド部やリード部の段差、変形、反り等が生じず、裏面側に露出する外部接続用の端子面の平坦性が保たれる。このため、多列型リードフレームの裏側に露出する面全体に連結部を介して連結されるパッド部やリード部の変形や反りを防止するための耐熱性ポリイミドフィルムや耐熱性シリコン接着剤で構成される高価な樹脂製のテープが不要となり、コストを低減できる。
【００９６】
さらに、本実施形態の多列型ＬＥＤ用リードフレームによれば、金属板の下面側は、リフレクタ樹脂部１５と金属板の面のみが露出し、金属板の下面側に露出する金属板の面が、リフレクタ樹脂部１５における最も下側の部位よりも金属板の上面側に位置するように形成されたエッチング加工面からなり、個々のリードフレーム領域において、１対のパッド部１１及びリード部１２が、金属板から、連結部を備えることなく、夫々分離した、略同じ平面形状及び略同じ平面視面積を有する矩形の平板形状に形成されている構成にしたので、図１０に示した発明のＬＥＤパッケージ、多列型ＬＥＤ用リードフレームとは異なり、ＬＥＤパッケージの製造工程において、ＬＥＤ素子が搭載された内部空間を充填する透明樹脂部を設けた後に下面側からリフレクタ樹脂部が露出するようにエッチングする必要がない。
その結果、透明樹脂部１６がエッチング液と接触することがなく、その表面が変質して透過率が低下し、製造後のＬＥＤ装置からの照射光量が弱められる等の品質劣化の懸念もない。
また、ＬＥＤパッケージの製造工程において、透明樹脂部１６を設けた後にエッチングを行う必要がない結果、エッチング液が透明樹脂部１６とリフレクタ樹脂１５との界面から透明樹脂部１６を充填しているＬＥＤ搭載領域に浸入してＬＥＤ装置の回路に悪影響を及ぼす虞がない。
【００９７】
また、本実施形態の多列型ＬＥＤ用リードフレームによれば、金属板の下面側が、リフレクタ樹脂部１５と金属板の面のみが露出し、金属板の下面側に露出する金属板の面が、リフレクタ樹脂部１５における最も下側の部位よりも金属板の上面側に位置するように形成されたエッチング加工面からなる構成にしたので、多列型ＬＥＤ用リードフレームの製造工程においては、金属板の上面側からハーフエッチングを施し、金属板におけるハーフエッチングを施した深さにおいてパッド部１１とリード部１２とに区画する凹部１９ａ，１９ｂを形成し、金属板におけるハーフエッチングにより形成された凹部１９ａ，１９ｂにリフレクタ樹脂１５を充填し、金属板の上面側で区画された当該リードフレーム領域内のパッド部１１及びリード部１２との間に介在するとともに、パッド部１１及びリード部１２の外周をパッド部１１のＬＥＤ素子搭載面に搭載するＬＥＤ素子よりも上方に突出するように囲むリフレクタ樹脂部１５を形成した後に、金属板の下面側からリフレクタ樹脂部１５が露出するように金属板を加工する工程（エッチング）を設けることが必須になる。そして、リフレクタ樹脂部１５が露出し、金属板の下面側に露出する金属板の面が、リフレクタ樹脂部１５における最も下側の部位よりも金属板の上面側に位置するように金属板を加工することにより、金属板の厚みが薄肉化される。その結果、多列型ＬＥＤ用リードフレームや、多列型ＬＥＤ用リードフレームを用いて製造したＬＥＤパッケージを薄型化でき、外部機器における実装スペースを増やすことができる。
【００９８】
また、本実施形態の多列型ＬＥＤ用リードフレームによれば、金属板の下面側が、リフレクタ樹脂部１５と金属板の面のみが露出している構成にしたので、多列型リードフレームの製造工程において、金属板の下面に外部接続用のめっき層を形成する工程を設ける必要がなくなり、工程を格段に簡素化できる。
【００９９】
また、図２(d)に示した本実施形態の変形例の多列型ＬＥＤ用リードフレームによれば、金属板の下面側において、リフレクタ樹脂部１５が金属板とともに研磨により面一に形成された構成としたので、多列型ＬＥＤ用リードフレームや、多列型ＬＥＤ用リードフレームを用いて製造したＬＥＤパッケージをより一層薄型化でき、外部機器における実装スペースをより一層増やすことができる。また、金属板の下面側を面一に形成したので、ＬＥＤパッケージを安定した状態で外部機器に搭載し易くなる。
【０１００】
また、本実施形態の多列型ＬＥＤ用リードフレームによれば、パッド部１１とリード部１２の夫々の側面に粗化処理が施されているので、リフレクタ樹脂部１５の密着性が向上する。
【０１０１】
また、図４に示した本実施形態の多列型リードフレームの製造方法によれば、金属板の下面側からエッチングを施し、リフレクタ樹脂部１５を露出させる工程の後に、金属板の下面側を研磨し、露出しているリフレクタ樹脂部１５が金属板とともに面一になるように形成するようにしたので、多列型ＬＥＤ用リードフレームや、多列型ＬＥＤ用リードフレームを用いて製造したＬＥＤパッケージをより一層薄型化でき、外部機器における実装スペースをより一層増やすことができる。また、金属板の下面側を面一に形成したので、ＬＥＤパッケージを安定した状態で外部機器に搭載し易くなる。
【０１０２】
また、図３、図４に示した本実施形態の多列型ＬＥＤ用リードフレームの製造方法によれば、下面側からエッチングを施し、リフレクタ樹脂部１５を露出させて、金属板の面が、リフレクタ樹脂部１５における最も下側の部位よりも金属板の上面側に位置するように形成する際に、金属板の上面側に、反射用めっき層１３ａの露出部位のエッチング液との接触を防止するための保護部材（マスキングテープ３５又は耐エッチング性を有する保護膜）を設けるようにしたので、反射用めっき層１３ａをエッチングレジストとして用いずに済み、反射用めっき層１３ａがエッチング液の影響を受けず、表面に凹凸が形成されることなく平滑に保つことができる。このため、図３、図４に示した本実施形態の多列型ＬＥＤ用リードフレームの製造方法を用いて、ＬＥＤ搭載側の反射用めっき層１３ａの表層に光沢Ａｇめっき層を形成するＬＥＤ用リードフレームを製造した場合、光沢Ａｇめっき層の反射率の低下を防止できる。
【０１０３】
また、図５に示した本実施形態の多列型ＬＥＤ用リードフレームの製造方法によれば、リフレクタ樹脂部を形成する工程の次に、金属板の下面側を研磨し、リフレクタ樹脂部が金属板とともに面一に露出するように形成するようにしたので、金属板の下面側をエッチングする工程を設ける必要がなくなる。このため、金属板の上面側に、反射用めっき層の露出部位のエッチング液との接触を防止するための保護部材を設ける工程も設ける必要がなくなる。その結果、コストを低減し、製造工程を格段に簡素化できる。
【０１０４】
また、本実施形態の多列型ＬＥＤ用リードフレームの製造方法によれば、金属板の上面側からのハーフエッチングにより、形成される凹部１９ａ，１９ｂの面を粗化処理するようにしたので、凹部１９ａ，１９ｂにリフレクタ樹脂部１５を形成したときのリフレクタ樹脂部１５の密着性が向上する。
【０１０５】
また、本実施形態のＬＥＤパッケージの製造方法によれば、金属板の下面側において、金属板の露出面に半田めっき等の外装めっきを施すようにしたので、外部機器と接続される下側面からの酸化やイオンの回路内への侵入を防止できる。
【０１０６】
従って、本実施形態によれば、製品化された個々のＬＥＤパッケージの切断面での金属バリの発生による接触不良の虞や切断面からの水分の浸入の虞がなく、製造に際しては、個々に配置されるＬＥＤパッケージの集積化を促進し、パッド部やリード部の段差、変形や反り等を阻止して、裏面側に露出する外部接続用の端子面の平坦性を良好に保って生産性を向上させることができ、また、高価な樹脂テープの貼り付けが不要でコストを低減でき、さらには、個々のＬＥＤパッケージを得るために切断するブレードの連続生産性と寿命を延ばすことができ、しかも、ＬＥＤ素子搭載部を充填する透明樹脂部がエッチング用薬液の影響を受けず、ＬＥＤ素子搭載部へエッチング用薬液の浸入の虞がなく、樹脂形成工程の回数を低減可能で、さらに、薄型化が可能で、リードフレームの製造工程を格段に簡素化可能な多列型ＬＥＤ用リードフレーム、並びにＬＥＤパッケージ及び多列型ＬＥＤ用リードフレームの製造方法が得られる。
【０１０７】
実施例
次に、本発明の実施例について、説明する。 
本実施例では、洗浄処理や乾燥処理など各工程の前処理、後処理は、一般的な処理であることから記載を省略する。
【０１０８】
実施例１
最初に、帯状で厚さ０．２ｍｍのＣｕ材をリードフレームの基材として準備し（図３(a)参照）、外枠部における縁部にパイロットホールを形成した後、両面にレジスト層を形成した。
次に、リードフレームの基材の上面側には、反射用めっき層１３ａを形成するためのレジストマスクを得るために必要なパターンが描画されたガラスマスクを用意し、下面側には、全面を覆うために必要なパターンが描画されたガラスマスクを用意し、先に形成したパイロットホールを基準にガラスマスクの位置を決定して露光・現像を行うことでリードフレームの基材の両面にめっき用のレジストマスク３０を形成した。
次に、Ｃｕが露出しているリードフレームの基材の上側の面に反射用めっき層１３ａを形成し（図３(b)参照）、めっき層を形成後、両面に形成されためっき用のレジストマスク３０を剥離した（図３(c)参照）。
なお、反射用のめっき層１３ａは、まず設定厚さ２．０μｍのＮｉめっきを形成し、その上に設定厚さ０．０３μｍのＰｄめっきを形成し、次に設定厚さ０．０１μｍのＡｕめっきを形成、最後に設定厚さ２．０μｍのＡｇめっきを形成することによって得た。
【０１０９】
次に、再び両面にレジスト層を形成し、露光・現像を行って、上面側には形成した反射用めっき層１３ａ直下のＣｕが溶解除去されない程度、反射用めっき層１３ａを覆うことで、パッド部１１とリード部１２とその他必要な形状を得るためのエッチング用のレジストマスク３１を形成し、下面側には全面を覆うエッチング用のレジストマスク３１を形成した。
【０１１０】
次に、エッチング処理を行って約０．１２ｍｍの深さとなるハーフエッチング加工を行い（図３(d)参照）、両面のエッチング用のレジストマスクを剥離することで、上面に必要なめっき層（反射用めっき層１３ａ）が形成されるとともに、リードフレームの基材におけるハーフエッチングを施した深さにおいてパッド部１１とリード部１２とが区画された多列型ＬＥＤ用リードフレームを得た（図３(e)参照）。この多列型ＬＥＤ用リードフレームは、下面側が約０．０８ｍｍの厚さで複数のパッド部１１とリード部１２とが繋がった状態であるので、特許文献１、２に記載のＬＥＤパッケージのような連結部を有する従来のＬＥＤパッケージの製造に用いる多列型ＬＥＤ用リードフレームの形成において、リードフレームの基材を貫通エッチング加工する場合に必要な連結部が存在しない。
【０１１１】
次に、モールド金型を用いてＬＥＤ用リードフレームにリフレクタ樹脂部１５を形成した（図３(f)参照）。ＬＥＤ用リードフレームの下面側は約０．０８ｍｍの厚さでリードフレームの基材（Ｃｕ材）が残存しているため、リフレクタ樹脂は上面側のハーフエッチング加工部分に充填され、区画されたパッド部１１とリード部１２との間を、ＬＥＤ素子を搭載する側が面一となるように介在する所定の形状に形成される。また、リフレクタ樹脂部１５はパッド部１１とリード部１２の外周をパッド部１１のＬＥＤ素子搭載面に搭載するＬＥＤ素子よりも上方に突出して囲むように形成される。なお、リフレクタ樹脂部１５に囲まれる、パッド部１１のＬＥＤ素子が搭載固定される部分とリード部１２のボンディング部分は、先に形成しためっき層が露出した状態となっている。
【０１１２】
次に、リードフレームの基材の上面側に、反射用めっき層１３ａの露出部位のエッチング液との接触を防止するための保護部材を設けた。詳しくは、形成したリフレクタ樹脂部１５の上面側をマスキングテープ３５で覆い、リフレクタ樹脂部１５で囲まれた内部空間を密封した。
【０１１３】
次に、リフレクタ樹脂部１５の上面側を覆うマスキングテープ３５をエッチングマスクとして、下面側からリフレクタ樹脂部１５が露出するようにエッチングを行い、リードフレームの基材の面が、リフレクタ樹脂部１５における最も下側の部位よりもリードフレームの基材の上面側に位置するように形成した（図３(g)参照）。
次に、マスキングテープ３５を剥がし（図３(h)参照）、図２(c)に示した構成を備えた多列型ＬＥＤ用リードフレームを得た。
【０１１４】
実施例２
基材となる金属板（例えば、Ｃｕ材）の準備（図４(a)参照）〜下面側からリフレクタ樹脂部１５が露出するようにエッチングを行い、リードフレームの基材の面が、リフレクタ樹脂部１５における最も下側の部位よりもリードフレームの基材の上面側に位置するように形成する（図４(g)参照）までの工程を、実施例１と略同様に行った。
次に、リードフレームの基材の下面側を研磨し、露出しているリフレクタ樹脂部１５がリードフレームの基材とともに面一になるように形成した（図４(h)参照）。
次に、マスキングテープ３５を剥し（図４(i)参照）、図２(d)に示した構成を備えた多列型ＬＥＤ用リードフレームを得た。
【０１１５】
実施例３
基材となる金属板（例えば、Ｃｕ材）の準備（図５(a)参照）〜リフレクタ樹脂部１５の形成（図５(f)参照）までの工程を、実施例１と略同様に行った。
次に、リードフレームの基材の下面側を研磨し、リフレクタ樹脂部１５がリードフレームの基材とともに面一に露出するように形成し（図５(g)参照）、図２(d)に示した構成を備えた多列型ＬＥＤ用リードフレームを得た。
【０１１６】
次に、実施例１〜３の多列型ＬＥＤ用リードフレームの製造方法により製造される図２(c)、図２(d)に示した構成を備えたリードフレームを用いたＬＥＤパッケージの製造工程を説明する。
まず、リフレクタ樹脂部１５が形成されたＬＥＤ用リードフレームのパッド部１１にＬＥＤ素子２０を搭載・固定する（図６(a)、図７(a)参照）とともに、ＬＥＤ素子２０とリード部１１とをワイヤボンディングし、さらに、リフレクタ樹脂部１５に囲まれるＬＥＤ素子２０が搭載された内部空間に透明樹脂１６を充填し（図６(b)、図７(b)参照）、ＬＥＤ素子２０とボンディングワイヤ１４を封止する透明樹脂部１６を形成した（図６(c)、図７(c)参照）。
次に、金属板の下面側において、金属板の露出面に半田めっき等の外装めっき３８を施した（図６(d)、図７(d)参照）。
【０１１７】
次に、複数のＬＥＤパッケージ領域がリフレクタ樹脂部によって固定された状態で形成された多列型ＬＥＤパッケージから個々のＬＥＤパッケージを得るために、リフレクタ樹脂部１５における、連結されたパッド部１１及びリード部１２の外周を囲む部位を切断加工した。これにより、パッド部１１とリード部１２とが独立してリフレクタ樹脂部１５によって固定され、切断面が、パッド部１１及びリード部１２の外周を囲むリフレクタ樹脂部１５の外周面にのみ存在するＬＥＤパッケージが得られた（図１(a)、図１(c)参照）。
【産業上の利用可能性】
【０１１８】
本発明の多列型ＬＥＤ用リードフレーム、並びにＬＥＤパッケージ及び多列型ＬＥＤ用リードフレームの製造方法は、表面実装型の封止樹脂型半導体装置を組み立てることが必要とされる分野に有用である。
【符号の説明】
【０１１９】
１０          リードフレーム
１１          パッド部
１２          リード部
１３          めっき層
１３ａ        反射用めっき層
１３ｂ        外部接続用めっき層
１４          ボンディングワイヤ
１５          リフレクタ樹脂部
１６          透明樹脂部
１７          連結部
１８          外枠部
１９ａ、１９ｂ          凹部
２０          ＬＥＤ素子
３０          めっき用のレジストマスク
３１          エッチング用のレジストマスク
３５          マスキングテープ
３８          外装めっき
【図１】
0006542112.tif 000002
【図２】
0006542112.tif 000003
【図３】
0006542112.tif 000004
【図４】
0006542112.tif 000005
【図５】
0006542112.tif 000006
【図６】
0006542112.tif 000007
【図７】
0006542112.tif 000008
【図８】
0006542112.tif 000009
【図９】
0006542112.tif 000010
【図１０】
0006542112.tif 000011